(57)【要約】  この発明は、端子と電線との電気的接続状態が長期に亘り安定して得られ、所定の導電性を確保することができるプラグの電線配線構造の提供を目的とする。  端子（１２，１２，１３）をプラグ本体（１１）の前端側に突設し、端子（１２，１２，１３）に接続された電線（１４，１４，１５）を１つに束ねてなるコード（１６）をプラグ本体（１１）の後端側に連設したプラグ（１０）において、コード（１６）の先端より露出した電線（１４，１４）を、プラグ本体（１１）内部に形成した電線配線部（１７）に配線するとともに、電線配線部（１７）内に設定した左右の配線経路（Ｃ１）と直交する方向に向けてＵ字状に変形してなる変形部（１４ｃ，１４ｄ，１４ｅ）を、配線経路（Ｃ１）上に配列した電線保持部（１７ａ，１７ｂ，１７ｃ）に引っ掛けてＳ字状に蛇行した状態に配線する。
2013069107.tif 000002
【特許請求の範囲】
【請求項１】
電源に差し込まれる複数の端子をプラグ本体の前端側に突設し、該端子に接続された電線をプラグ本体の後端側に連設したプラグの電線配線構造であって、
前記プラグ本体の内部に、前記端子に接続された電線を配線する電線配線部を設け、
前記電線配線部に設定した前記電線を配線する配線経路上に、該配線経路と直交する方向に向けて前記電線を変形した状態に保持する電線保持部を設けた
プラグの電線配線構造。
【請求項２】
前記電線保持部を、
前記配線経路に沿って前記電線の配線が許容される間隔を隔てて複数配列した
請求項１に記載のプラグの電線配線構造。
【請求項３】
前記配線経路を、
前記電線配線部の中心部を中心として周方向に設定し、
前記電線保持部を、
前記周方向に設定した前記配線経路に沿って前記電線の配線が許容される間隔を隔てて複数配列した
請求項１又は２に記載のプラグの電線配線構造。
【請求項４】
前記配線経路を、
前記電線配線部の幅方向中央部を通る位置に設定した中心線を基準として、該中心線の両側に前記プラグ本体の長手方向と平行して設定し、
前記電線保持部を、
前記中心線の両側に設定した各配線経路に沿って前記電線の配線が許容される間隔を隔てて複数配列した
請求項１又は２に記載のプラグの電線配線構造。
【請求項５】
前記電線保持部を、
前記配線経路の外側寄りに偏心した位置と、該配線経路の内側寄りに偏心した位置とに配置して、該配線経路に沿って互い違いとなるように配列した
請求項２に記載のプラグの電線配線構造。
【発明の詳細な説明】
【技術分野】
【０００１】
この発明は、例えば電気自動車、ハイブリッド自動車の充電用プラグ、あるいは、電子レンジ、トースター、電子機器、電気機器、電気器具等に対して電力を供給する際に用いられるプラグの電線配線構造に関する。
【背景技術】
【０００２】
従来、上述のプラグとしては、例えば電線の芯線を端子の基部に接続し、電線の先端側及び端子の基部側を塩化ビニル樹脂で被覆して一体成形した電源プラグが提案されている（特許文献１参照）。この電源プラグは、電線の先端より露出した芯線を端子の基部にカシメ接続あるいはハンダ接続した電線配線構造を有している。【０００３】
しかし、上述の電源プラグを手で掴むことなく、例えばコンセント等の電源から抜き取る場合、電源プラグに連設された電線を手で引っ張るか、あるいは、人間や動物、カート、台車等が電線に引っ掛かる等して強制的に抜き取られることがある。【０００４】
上述のようにして電源プラグを抜き取る際、電線に対して引張り荷重が付加されるが、その引張り荷重は、電線と端子との接続部分に直接付加されるため、電線と端子との接続部分に例えば剥離や断線等が発生しやすく、電気的接続状態を維持することができなくなるという問題があった。
【先行技術文献】
【特許文献】
【０００５】
【特許文献１】特開平７−３３５３０１号公報
【発明の概要】
【発明が解決しようとする課題】
【０００６】
この発明は、電線と端子との電気的接続状態が長期に亘り安定して得られ、所定の導電性を確保することができるプラグの電線配線構造を提供することを目的とする。
【課題を解決するための手段】
【０００７】
この発明は、電源に差し込まれる複数の端子をプラグ本体の前端側に突設し、該端子に接続された電線をプラグ本体の後端側に連設したプラグの電線配線構造であって、前記プラグ本体の内部に、前記端子に接続された電線を配線する電線配線部を設け、前記電線配線部に設定した前記電線を配線する配線経路上に、該配線経路と直交する方向に向けて前記電線を変形した状態に保持する電線保持部を設けたプラグの電線配線構造であることを特徴とする。【０００８】
この発明によれば、端子と電線との電気的接続状態が長期に亘り安定して得られ、所定の導電性を確保することができる。  
詳述すると、端子に接続された電線を、プラグ本体の電線配線部内に設定した配線経路に沿って配線するとともに、配線経路に設けた電線保持部によって該配線経路と直交する方向に例えば湾曲、屈曲、折曲げるなどして変形した状態に保持する。【０００９】
上述のプラグを、例えばコンセント等の電源に差し込んだ状態において、電線を手で引っ張って、プラグをコンセントから抜き取る際、あるいは、人間や動物、カート、台車等が電線に引っ掛かるなどして、プラグがコンセントから抜き取られる際、プラグに連設された電線に対して、例えば湾曲、屈曲、折曲げ等による引張り荷重が付加される。【００１０】
つまり、上述の引張り荷重が電線に付加されることによって、電線配線部の電線保持部にて保持された電線の変形部が真っ直ぐな状態に引き伸ばされようとするが、電線保持部によって電線の変形部を変形した状態に保持しているので、電線に対して引張り荷重が付加されるほど、電線の変形部が電線保持部に対して押し付けられる。【００１１】
これにより、電線に付加される引張り荷重を、該電線の変形部が押し付けられた配線経路上の電線保持部にて受けることができる。  
この結果、電線に付加される引張り荷重が、該電線と端子との接続部分に直接付加されることを防止でき、良好な接続状態を維持することができる。【００１２】
また、電線に付加される引張り荷重が大きくなるほど、電線の変形部が電線保持部に対して強く押し付けられるので、その押し付け部分に生じる接触抵抗によって、電線配線部に配線した電線の配線状態や配線位置が変位することを防止できる。さらにまた、プラグ本体から電線が引き抜かれることを防止する効果も得られる。【００１３】
この発明の態様として、前記電線保持部を、前記配線経路に沿って前記電線の配線が許容される間隔を隔てて複数配列することができる。  
この発明によれば、電線に付加される引張り荷重を分散して、引張り荷重に耐え得る強度を確保することができる。【００１４】
詳述すると、端子に接続された電線を、配線経路上に配列した複数の電線保持部によって該配線経路と直交する方向に変形した状態に保持する。  
上述のように配線した電線に対して引張り荷重が付加されることによって、各電線保持部にて保持された電線の各変形部が真っ直ぐな状態に引き伸ばされようとするが、各電線保持部によって電線の各変形部を変形した状態に保持しているので、電線に付加される引張り荷重を、配線経路上に配置した複数の電線保持部にて受けることができる。【００１５】
この結果、引張り荷重が複数の電線保持部に分散して付加されるので、電線保持部にて受ける引張り荷重が小さくなり、１つの電線保持部に集中して付加されることを防止できる。【００１６】
また、この発明の態様として、前記配線経路を、前記電線配線部の中心部を中心として周方向に設定し、前記電線保持部を、前記周方向に設定した前記配線経路に沿って前記電線の配線が許容される間隔を隔てて複数配列することができる。【００１７】
この発明によれば、引張り荷重を周方向に分散させて、電線保持部にて受ける引張り荷重を小さくすることができる。  
詳述すると、端子に接続された電線を、電線配線部内に設定した配線経路に沿って周方向に配線するとともに、周方向に設定した配線経路上の複数の電線保持部によって該配線経路と直交する方向に変形した状態に保持する。【００１８】
上述のように配線した電線に対して引張り荷重が付加されることによって、各電線保持部にて保持された電線の各変形部が真っ直ぐな状態に引き伸ばされようとするが、各電線保持部によって電線の各変形部を変形した状態に保持しているので、電線に付加される引張り荷重を、周方向の配線経路上に配置した複数の電線保持部で受けて、周方向に分散させることができる。【００１９】
この結果、引張り荷重が複数の電線保持部に分散して付加され、かつ、周方向にも分散されるので、電線保持部にて受ける引張り荷重が小さくなり、引張り荷重に対する耐久性が向上する。【００２０】
また、この発明の態様として、前記配線経路を、前記電線配線部の幅方向中央部を通る位置に設定した中心線を基準として、該中心線の両側に前記プラグ本体の長手方向と平行して設定し、前記電線保持部を、前記中心線の両側に設定した各配線経路に沿って前記電線の配線が許容される間隔を隔てて複数配列することができる。【００２１】
この発明によれば、引張り荷重を幅方向に分散させて、電線保持部にて受ける引張り荷重を小さくすることができる。  
詳述すると、端子に接続された電線を、プラグ本体の電線配線部内に設定した両側の配線経路に沿って配線するとともに、両側の配線経路上に配列した各電線保持部によって該各配線経路と直交する方向に変形した状態に保持する。【００２２】
上述のように配線した電線に対して引張り荷重が付加されることによって、各電線保持部に押し付けられた電線の各変形部が真っ直ぐな状態に引き伸ばされようとするが、各電線保持部によって電線を変形した状態に保持しているので、電線に付加される引張り荷重を、両側の配線経路上に配置した複数の電線保持部で受けて、幅方向に分散させることができる。【００２３】
この結果、引張り荷重が複数の電線保持部に分散して付加され、かつ、幅方向にも分散されるので、電線保持部にて受ける引張り荷重が小さくなり、引張り荷重に対する耐久性が向上する。【００２４】
また、この発明の態様として、前記電線保持部を、前記配線経路の外側寄りに偏心した位置と、該配線経路の内側寄りに偏心した位置とに配置して、該配線経路に沿って互い違いとなるように配列することができる。  
この発明によれば、引張り荷重を外側及び内側に分散させて、電線保持部にて受ける引張り荷重がさらに小さくすることができる。【００２５】
詳述すると、端子に接続された電線を、電線配線部内に設定した配線経路と直交する方向に変形するとともに、該電線の各変形部を、配線経路の外側寄りに配置した電線保持部と内側寄りに配置した電線保持部によって互い違いとなる方向に変形した状態に保持する。【００２６】
上述のように配線した電線に対して引張り荷重が付加されることによって、外側寄りの電線保持部と内側寄りの電線保持部とで保持された電線の各変形部が真っ直ぐな状態に引き伸ばされようとするが、外側寄りの電線保持部と内側寄りの電線保持部とによって電線を変形した状態に保持しているので、電線に付加される引張り荷重を、外側寄りの電線保持部と内側寄りの電線保持部とで受けて、外側及び内側に向けて分散させることができる。【００２７】
この結果、引張り荷重が複数の電線保持部に分散して付加され、かつ、外側及び内側にも分散されるので、電線保持部にて受ける引張り荷重がさらに小さくなり、引張り荷重に対する耐久性が向上する。【００２８】
前記プラグ本体は、例えばメラミン樹脂、ユリヤ樹脂、フェノール樹脂等の熱硬化性プラスチック、或いは、ＰＶＣ樹脂、ポリスチレン樹脂、ポリアミド樹脂、ポリプロピレン樹脂等の熱可塑性プラスチックで構成することができる。  
端子は、例えば平型ブレード、ピン型ブレード等で構成することができる。また、端子は、例えば黄銅、銅、銅合金等の導電性に優れた金属で形成することができる。【００２９】
電線は、例えば銅線、メッキ処理（金、錫等）した銅線等を多数本集束してなる導体の周面全長、又は、所定の線径に形成した１本の導体の周面全長を、例えばＰＶＣ樹脂、ポリエチレン樹脂等の熱可塑性樹脂混合物、あるいは、クロロプレンゴム、ＥＰゴム、クロロスルホルン化ポリエチレンゴム等のゴム素材よりなる外装部で被覆して構成することができる。  
なお、外装部は、例えば繊維、糸等の絶縁体が巻回された導体の周面全長を、上述のゴム素材で被覆して構成してもよい。
【発明の効果】
【００３０】
この発明によれば、端子と電線との電気的接続状態が長期に亘り安定して得られ、所定の導電性を確保することができる。
【図面の簡単な説明】
【００３１】
【図１】アース用の端子を備えたプラグの電線配線構造を示す縦断側面図、電線の配線状態を示すＡ−Ａ線矢視断面図。
【図２】アース用の端子を備えたプラグの電線配線構造を示す縦断側面図、電線の配線状態を示すＢ−Ｂ線矢視断面図。
【図３】アース用の端子を備えたプラグの電線配線構造を示す縦断側面図、電線の配線状態を示すＣ−Ｃ線矢視断面図。
【図４】アース用の端子を備えたプラグの電線配線構造を示す縦断側面図、電線の配線状態を示すＤ−Ｄ線矢視断面図。
【図５】電線の他の配線例を示すプラグの配線説明図。
【図６】電線のその他の配線例を示すプラグの配線説明図。
【図７】電線のその他の配線例を示すプラグの配線説明図。
【発明を実施するための形態】
【００３２】
この発明の一実施形態を以下図面に基づいて詳述する。  
図１［ａ］はアース用の端子を備えたプラグ１０の電線配線構造を示す縦断側面図、図１［ｂ］は電線１４，１５の配線状態を示すＡ−Ａ線矢視断面図である。
【００３３】
本実施形態のプラグ１０は、端子１２，１３と電線１４，１５とを略直角に接続したＬ型プラグであって、絶縁性を有するプラスチックにて成形したプラグ本体１１と、プラグ本体１１の前端側に突設した２本の平型端子１２，１２及びアース用のピン型端子１３と、端子１２，１２，１３に接続した３本の電線１４，１４，１５を１つに束ねて、プラグ本体１１の後端側に連設したコード１６とで構成している。  
また、コード１６は、後述する電流遮断装置１９を介して図示しない負荷装置に接続している。
【００３４】
プラグ本体１１は、平型ブレードからなる端子１２，１２の基部及びピン方ブレードからなる端子１３の基部を、メラミン樹脂などの熱硬化性プラスチックで形成した中子型のインサート部材１１ａに組付けた後、端子１２，１３が突設された前端面を除くインサート部材１１ａの全体と、端子１２，１３に接続された電線１４，１５及びコード１６の先端側外周面とを、ポリ塩化ビニルなどの熱可塑性プラスチックで形成したカバー型のプラグボディ１１ｂで被覆して一体化することにより、側面から見てＬ型に構成している。
【００３５】
プラグボディ１１ｂは、上述の熱可塑性プラスチックを、図示しない射出成形装置によりインサート部材１１ａの前端面を除く外面と、コード１６の先端側外周面とに被覆して形成している。  
なお、熱可塑性プラスチックは、射出成形時において、プラグ本体１１の内部にも充填するので、端子１２，１３がインサート部材１１ａの前端側に突設した状態に固定され、電線１４，１５が所定の配線状態に固定される。
【００３６】
端子１２，１２は、例えばＪＩＳ規格Ｃ２６８０で示される黄銅（Ｃｕ６４．０〜６８．０ｗｔ％、Ｐｂ含有率が０．０５ｗｔ％以下と僅小な黄銅）からなる平型ブレードで構成され、プラグ本体１１の前端面より前方に向けて突出するとともに、図示しないコンセントの端子挿入口に対して差し込みが許容される間隔を隔てて平行に突設している。
【００３７】
端子１３は、例えばＪＩＳ規格Ｃ３６０１で示される快削黄銅（Ｐｂ１．８〜３．７ｗｔ％含有）からなるピン型ブレードで構成され、プラグ本体１１の前端面より前方に向けて突出するとともに、コンセントのアース挿入口に対して差し込みが許容される位置に突設している。
【００３８】
電線１４，１５は、導電性を有する線条の導体を複数本束ねてなる芯線１４ａ，１５ａと、該芯線１４ａ，１５ａの外周に被覆した絶縁性を有する絶縁材１４ｂ，１５ｂとで構成している。
【００３９】
また、端子１２，１３の基部に圧着接続される電線１４，１５の接続側先端部は、絶縁材１４ｂ，１５ｂを剥離除去して、絶縁材１４ｂ，１５ｂの先端より芯線１４ａ，１５ａを所定長さ露出している。
【００４０】
さらに、絶縁材１４ｂ，１５ｂの先端より露出した芯線１４ａ，１５ａの露出側端部は、端子１２，１３の基部に対してそれぞれ圧着接続している。
【００４１】
コード１６は、端子１２，１２に接続された電線１４，１４と、端子１３に接続された電線１５とを、１つに束ねたまま絶縁性を有する外装部１６ｂで被覆して構成している。
【００４２】
また、プラグ本体１１の後端側に連設されるコード１６の連設側先端部は、外装部１６ｂを剥離除去して、外装部１６ｂ先端より電線１４，１４，１５を所定長さ露出している。  
さらに、電線１４，１４，１５が露出されたコード１６の外装部１６ｂ先端は、後述する電線配線部１７と連通してプラグ本体１１の後端側に連設している。
【００４３】
次に、図１を用いて、プラグ１０の電線１４，１４を配線する電線配線構造について説明する。  
プラグ本体１１の内部には、コード１６の外装部１６ｂ先端より露出され、かつ、端子１２，１２，１３に接続された電線１４，１４，１５の配線が許容される大きさ及び形状に形成した電線配線部１７を設けている。
【００４４】
外装部１６ｂ先端より露出した電線１４，１４は、プラグ本体１１の内部に形成した電線配線部１７に配線するとともに、該電線配線部１７の幅方向Ｂ中央部を通る位置に設定した中心線Ｐ１を基準として、該中心線Ｐ１の両側に設定したプラグ本体１１の長手方向Ａと平行する左右の配線経路Ｃ１に沿って配線している（図１［ｂ］参照）。
【００４５】
配線経路Ｃ１上には、電線１４を配線経路Ｃ１と直交する幅方向Ｂに向けてＵ字状に変形した状態に保持又は矯正する電線保持部１７ａ，１７ｂ，１７ｃを配置している。
【００４６】
電線保持部１７ａ〜１７ｃは、配線経路Ｃ１に沿って電線１４の配線が許容される間隔を隔てて配線経路Ｃ１に沿って長手方向Ａに配列するとともに、幅方向Ｂに位置をずらして配線経路Ｃ１に対して互い違いとなるように千鳥状に配列している。
【００４７】
電線保持部１７ａは、コード１６の外装部１６ｂの先端側中心部よりも外側で配線経路Ｃ１の内側寄りに偏心して配置するとともに、該外装部１６ｂの先端側外周部を長手方向Ａに延長してなる仮想延長線上に配置している。
【００４８】
電線保持部１７ｂは、外装部１６ｂの先端側外周部を長手方向Ａに延長してなる仮想延長線よりも外側で配線経路Ｃ１の外側寄りに偏心して配置するとともに、配線経路Ｃ１と直交して電線配線部１７の両側内壁部に突設している。
【００４９】
電線保持部１７ｃは、外装部１６ｂの先端側外周部を長手方向Ａに延長してなる仮想延長線よりも外側で、電線保持部１７ｂよりも配線経路Ｃ１の内側寄りに偏心して配置するとともに、プラグ本体１１に突設された端子１２の基部近傍に配置している。
【００５０】
なお、アース用の端子１３に接続された電線１５は、コード１６の外装部１６ｂ先端から長手方向Ａに引き出すとともに、電線１４よりも弛みを持たせて電線配線部１７の中央部に配線している。
【００５１】
さらに、プラグ本体１１の前端側中央部には、該プラグ本体１１の露出側前端面の温度を検知するためのサーミスタ１８を配置している。  
サーミスタ１８は、プラグ本体１１を構成するインサート部材１１ａの前端側中央部で、端子１２，１２，１３の略真ん中にプラグ本体１１の長手方向Ａと平行して配置している。
【００５２】
また、インサート部材１１ａの露出側前端面とサーミスタ１８の検知側先端部との間は、露出側前端面の温度がサーミスタ１８に対して直接的に熱伝導される肉厚に形成している。
【００５３】
つまり、インサート部材１１ａの露出側前端面の温度がサーミスタ１８に対して直接的に熱伝導されるので、トラッキングが生じるような高温に達するまえに、図示しないコンセントから負荷装置への電流の供給を後述する電流遮断装置１９によって遮断することができる。
【００５４】
サーミスタ１８には、コード１６内に配線された信号線１８ａ，１８ａの一端側を接続している。また、信号線１８ａ，１８ａの他端側は、図示しないコンセントから負荷装置への電流の供給を遮断するための電流遮断装置１９に接続している。
【００５５】
また、信号線１８ａ，１８ａは、１つに束ねたままコード１６に挿入するとともに、その挿入側周面を外装部１６ｂで被覆している。  
信号線１８ａは、例えば屈曲や捻れ、引張り等の負荷（ストレス）がコード１６に付加された際、電線１４の芯線１４ａが断線するよりも先に、サーミスタ１８の信号線１８ａの断線が許容される線径に形成するか、その断線が許容される素材で構成している。
【００５６】
あるいは、信号線１８ａを長手方向Ａに対して緊張した状態に配線し、上述の負荷（ストレス）が付加された際、電線１４の芯線１４ａよりも先に断線するように構成してもよい。  
なお、負荷装置は、例えば電気自動車に搭載されたバッテリー、あるいは、電子レンジ、トースター、電気機器等で構成することができる。
【００５７】
電流遮断装置１９は、サーミスタ１８から出力される検知信号に基づいて、インサート部材１１ａの露出側前端面の温度変化に応じて変動するサーミスタ１８の抵抗値を算出する。そのサーミスタ１８の抵抗値と予め設定した閾値とを比較して、インサート部材１１ａの露出側前端面の温度が所定温度以下であるか否かを判定する。
【００５８】
つまり、インサート部材１１ａの露出側前端面の温度が上昇すると、サーミスタ１８の抵抗値が下がる。また、インサート部材１１ａの露出側前端面の温度が降下すると、サーミスタ１８の抵抗値が上がるので、インサート部材１１ａの露出側前端面の温度変化に応じて変動するサーミスタ１８の抵抗値の変化を検出することにより、インサート部材１１ａの露出側前端面の温度を正確に判定することができる。
【００５９】
インサート部材１１ａの露出側前端面の温度が所定温度以上に上昇し、サーミスタ１８の抵抗値が予め設定した閾値よりも低いと判定された場合、電流遮断装置１９によってコンセントから負荷装置への電流の供給を遮断する。  
また、インサート部材１１ａの露出側前端面の温度が所定温度以下に降下し、サーミスタ１８の抵抗値が閾値よりも高いと判定された場合、コンセントから負荷装置への電流の供給を継続する。
【００６０】
また、電流遮断装置１９は、サーミスタ１８の信号線１８ａが断線して、サーミスタ１８の回路がオープン状態（切断状態）となった場合、サーミスタ１８から信号が出力されないことを検知するとともに、その検知に基づいて、信号線１８ａが断線したことを図示しない報知手段にて報知する。
【００６１】
つまり、プラグ１０をコンセントに差し込んだ状態において、例えば屈曲や捻れ、引張り等の負荷（ストレス）がコード１６に付加された際、電線１４の芯線１４ａが断線するよりも先にサーミスタ１８の信号線１８ａが断線する。
【００６２】
サーミスタ１８の回路がオープン状態となり、サーミスタ１８から信号が出力されないことを検知した際、その検知に基づいて、信号線１８ａが断線したことを図示しない報知手段にて報知すれば、電線１４が断線する恐れがあることを知らせることができる。
【００６３】
次に、上述の電線１４，１４をプラグ本体１１の電線配線部１７に配線する配線方法について説明する。  
先ず、図１に示すように、コード１６の外装部１６ｂ先端より露出した電線１４，１４を、プラグ本体１１の電線配線部１７に設定した配線経路Ｃ１，Ｃ１に沿って左右対称に配線する。
【００６４】
つまり、電線１４を、配線経路Ｃ１と直交する幅方向Ｂに向けてＵ字状に変形するとともに、該電線１４をＵ字状に変形してなる変形部１４ｃ，１４ｄ，１４ｅを、配線経路Ｃ１上に配列した電線保持部１７ａ，１７ｂ，１７ｃに引っ掛けて、図１［ｂ］に示すようにＳ字状に蛇行した状態に配線する。
【００６５】
詳述すると、電線１４を中心線Ｐ１から離れる方向に向けて変形してなる変形部１４ｃは、配線経路Ｃ１の上流側に配置した電線保持部１７ａに外側から引っ掛けて、該電線保持部１７ａに対して外側から押し付けられた状態に配線する。  
また、変形部１４ｃ，１４ｅと対応する電線１４の周面は、電線配線部１７の内壁面に押し付けられ、Ｕ字状に変形した状態に保持又は矯正されている。
【００６６】
次に、電線１４を中心線Ｐ１に向けて変形してなる変形部１４ｄは、配線経路Ｃ１の略中央に配置した電線保持部１７ｂに内側から引っ掛けて、該電線保持部１７ｂに対して内側から押し付けられた状態に配線する。
【００６７】
次に、電線１４を中心線Ｐ１から離れる方向に向けて変形してなる変形部１４ｅは、配線経路Ｃ１の下流側に配置した電線保持部１７ｃに外側から引っ掛けて、該電線保持部１７ｃに対して外側から押し付けられた状態に配線する。
【００６８】
上述のように電線１４，１４が配線されたプラグ１０を図示しないコンセントに差し込んだ状態において、例えばコード１６を手で引っ張って、プラグ１０をコンセントから抜き取る際、あるいは、人間や動物、カート、台車等がコード１６に引っ掛かるなどして、プラグ１０がコンセントから抜き取られる際、プラグ１０に連設したコード１６内の電線１４，１５に対して、例えば湾曲、屈曲、折曲げ等による引張り荷重が付加される。
【００６９】
すなわち、上述のような引張り荷重がプラグ１０のコード１６に付加された場合、電線１５には弛みを持たせているので、電線１４のみに引張り荷重が付加される。その引張り荷重によって、電線配線部１７の電線保持部１７ａ〜１７ｃに引っ掛けられた電線１４の変形部１４ｃ〜１４ｅが真っ直ぐな状態に引き伸ばされようとする。
【００７０】
ところが、電線保持部１７ａ〜１７ｃによって電線１４の変形部１４ｃ〜１４ｅを変形した状態に保持又は矯正しているので、電線１４に対して引張り荷重が付加されるほど、電線１４の変形部１４ｃ〜１４ｅが電線保持部１７ａ〜１７ｃに対して押し付けられる（図１［ｂ］参照）。
【００７１】
これにより、電線１４に付加される引張り荷重を、該電線１４の変形部１４ｃ〜１４ｅが押し付けられた電線保持部１７ａ〜１７ｃにて受けることができるとともに、引張り荷重を幅方向Ｂに分散させることができる。
【００７２】
この結果、電線１４に付加される引張り荷重が、端子１２と電線１４との接続部分に直接付加されることを防止でき、良好な接続状態を維持することができる。また、端子１２と電線１４との電気的接続状態が長期に亘り安定して得られ、所定の導電性を確保することができる。
【００７３】
また、電線１４に付加される引張り荷重が内側寄りの電線保持部１７ａと外側寄りの電線保持部１７ｂ，１７ｃとに分散して付加され、かつ、幅方向Ｂにも分散されるので、１つの電線保持部１７ａ〜１７ｃにて受ける引張り荷重が小さくなり、大きな引張り荷重にも耐え得る構造的強度を確保と、耐久性の向上とを図ることができる。
【００７４】
さらにまた、電線１４に付加される引張り荷重が大きくなるほど、電線１４の変形部１４ｃ〜１４ｅが電線保持部１７ａ〜１７ｃに対して強く押し付けられるので、その押し付け部分に生じる接触抵抗によって、電線配線部１７に配線した電線１４の配線状態や配線位置が変位することも防止できる。また、プラグ本体１１からコード１６が引き抜かれることを防止する抜止め効果、コード１６に断線が起きることを防止する断線防止効果も得られる。
【００７５】
上述のプラグ１０をコンセントに差し込んだ状態において、プラグ１０の露出側前端面の温度をサーミスタ１８で検知するとともに、サーミスタ１８から出力される検知信号に基づいて、プラグ１０の露出側前端面の温度が所定温度以下であるか否かを電流遮断装置１９で判定する。
【００７６】
つまり、プラグ１０の露出側前端面の温度が所定温度以上に上昇すると、サーミスタ１８の抵抗値が予め設定した閾値よりも低くなるので、サーミスタ１８の抵抗値が予め設定した閾値よりも低いと判定される。この場合、コンセントから負荷装置への電流の供給を遮断する。
【００７７】
すなわち、サーミスタ１８によってプラグ１０の前端面に生じる温度変化を正確に検知することができ、トラッキングが生じるような高温に到達するまえに電流遮断装置１９によって電流の供給を遮断するので、プラグ１０の前端面が所定温度以上に過熱されず、プラグ１０の過熱が原因となる発火、火災等が起きるのを防止することができる。
【００７８】
また、例えば屈曲や捻れ、引張り等の負荷（ストレス）がコード１６に付加された際、電線１４の芯線１４ａよりも先にサーミスタ１８の信号線１８ａが断線し、サーミスタ１８の回路がオープン状態（切断状態）となる。
【００７９】
つまり、サーミスタ１８から信号が出力されないことを電流遮断装置１９にて検知した際、その検知に基づいて、電線１４が断線する恐れがあることを、該電線１４が断線するまえに図示しない報知手段にて報知することができる。
【００８０】
すなわち、電線１４よりも先に信号線１８ａを断線させて、その信号線１８ａの断線を検知することで、電線１４が突然切れては困る機器などについては、電線１４が突然断線してトラブルが発生するまえにプラグ１０及びコード１６の全体を交換することができる。この結果、機器に障害が起きることを防止することができる。
【００８１】
次に、他の配線例におけるＬ型を有するプラグ２０の電線配線構造について説明する。  
図２［ａ］はアース用の端子を備えたプラグ２０の電線配線構造を示す縦断側面図、図２［ｂ］は電線２４，２５の配線状態を示すＢ−Ｂ線矢視断面図である。
【００８２】
上述のプラグ２０は、端子２２，２３と電線２４，２５とを略直角に接続したＬ型プラグであって、絶縁性を有するプラスチックにて成形したプラグ本体２１と、プラグ本体２１の前端側に突設した２本のピン型端子２２，２２及び該前端側に埋設したアース用の平型端子２３と、端子２２，２２に接続した電線２４，２４及び端子２３に接続した電線２５を１つに束ねて、プラグ本体２１の後端側に連設したコード２６とで構成している。
【００８３】
プラグ本体２１は、端子２２，２２及び端子２３の基部を、熱硬化性プラスチックで形成した中子型のインサート部材２１ａに組付けた後、図示の各要素を熱可塑性プラスチックで形成したカバー型のプラグボディ２１ｂで被覆して一体化することにより、側面から見てストレート型に構成している。
【００８４】
プラグボディ２１ｂは、上述の熱可塑性プラスチックを、図示しない射出成形装置によりインサート部材２１ａの前端面及び前端側外周面を除く外面と、コード２６の先端側外周面とに被覆して形成している。
【００８５】
なお、熱可塑性プラスチックは、射出成形時において、プラグ本体２１の内部にも充填するので、端子２２，２３がインサート部材２１ａの前端側に突設した状態に固定され、電線２４，２５が所定の配線状態に固定される。
【００８６】
端子２２，２２は、コンセントの端子挿入口に対して差し込みが許容される間隔を隔てて平行に突設している。また、端子２３は、コンセント側のアース端子の差し込みが許容される位置に埋設している。
【００８７】
電線２４，２５は、芯線２４ａ，２５ａ外周に被覆した先端側の絶縁材２４ｂ，２５ｂを剥離除去して、絶縁材２４ｂ，２５ｂ先端より露出した芯線２４ａ，２５ａを、端子２２，２３の基部に圧着接続している。
【００８８】
コード２６は、電線２４，２４，２５を１つに束ねて被覆した外装部２６ｂの先端側を剥離除去して、電線２４，２４，２５を外装部２６ｂ先端より所定長さ露出している。また、外装部２６ｂの先端側を、後述する電線配線部２７と連通してプラグ本体２１の後端側に連設している。
【００８９】
外装部２６ｂ先端より露出した電線２４，２４は、プラグ本体２１の内部に形成した電線配線部２７に配線するとともに、該電線配線部２７の幅方向Ｂ中央部に設定した中心部Ｐ２を中心として、周方向に設定した左右の配線経路Ｃ２に沿って配線している。  
なお、電線２５は、電線２４よりも弛みを持たせて電線配線部２７の中央部に配線している。
【００９０】
配線経路Ｃ２上には、中心部Ｐ２を中心として、電線２４を配線経路Ｃ２と直交する幅方向Ｂに向けてＵ字状に変形した状態に保持又は矯正する電線保持部２７ａ，２７ｂ，２７ｃを同心円に配置している。  
電線保持部２７ａ〜２７ｃは、電線２４の配線が許容される間隔を隔てて配線経路Ｃ２に沿って周方向に配列するとともに、配線経路Ｃ２に対して互い違いとなるように千鳥状に配列している。
【００９１】
電線保持部２７ａは、コード２６の外装部２６ｂの先端側外周部近傍で、配線経路Ｃ２の外側寄りに偏心して配置している。また、電線保持部２７ｂ，２７ｃは、外装部２６ｂの先端側外周部を長手方向Ａに延長してなる仮想延長線よりも外側で、配線経路Ｃ２の内側寄りに偏心して配置している。  
なお、電線保持部２７ｂ，２７ｃの間には、電線２４が接続された端子２２を配置している。
【００９２】
上述の電線２４，２４をプラグ本体２１の電線配線部２７に配線する場合、図２に示すように、コード２６の外装部２６ｂ先端より露出した電線２４を、電線配線部２７に設定した左右の配線経路Ｃ２に沿って対称に配線する。
【００９３】
つまり、電線２４を、配線経路Ｃ２と直交する幅方向Ｂに向けてＵ字状に変形するとともに、該電線２４をＵ字状に変形してなる変形部２４ｃ，２４ｄ，２４ｅを、配線経路Ｃ２上に配列した電線保持部２７ａ，２７ｂ，２７ｃに対して巻き付けるように引っ掛けて、図２［ｂ］に示すようにＳ字状に蛇行した状態に配線する。
【００９４】
すなわち、前記実施形態と同様に、前述の張り荷重がプラグ２０のコード２６に付加されることによって、電線配線部２７の電線保持部２７ａ〜２７ｃに引っ掛けられた電線２４の変形部２４ｃ〜２４ｅが真っ直ぐな状態に引き伸ばされようとする。
【００９５】
ところが、電線保持部２７ａ〜２７ｃによって電線２４の変形部２４ｃ〜２４ｅを変形した状態に保持又は矯正しているので、引張り荷重が付加されるほど、電線２４の変形部２４ｃ〜２４ｅが電線保持部２７ａ〜２７ｃに対して押し付けられる（図２［ｂ］参照）。
【００９６】
これにより、電線２４に付加される引張り荷重を、該電線２４の変形部２４ｃ〜２４ｅが押し付けられた電線保持部２７ａ〜２７ｃにて受けることができるとともに、引張り荷重の一部を周方向に分散させることができる。
【００９７】
この結果、引張り荷重が電線保持部２７ａ〜２７ｃに分散して付加され、かつ、周方向にも分散されるので、１つの電線保持部２７ａ〜２７ｃにて受ける引張り荷重が小さくなり、引張り荷重に対する構造的強度及び耐久性が向上する。
【００９８】
また、引張り荷重が端子２２と電線２４との接続部分に直接付加されることを防止できるので、前記実施形態と略同等の作用及び効果を奏することができる。  
さらにまた、プラグ本体２１からコード２６が引き抜かれることを防止する抜止め効果、コード２６に断線が起きることを防止する断線防止効果も得られる。
【００９９】
次に、その他の配線例におけるＬ型を有するプラグ３０の電線配線構造について説明する。  
図３［ａ］はアース用の端子を備えたプラグ３０の電線配線構造を示す縦断側面図、図３［ｂ］は電線３４，３５の配線状態を示すＣ−Ｃ線矢視断面図である。
【０１００】
上述のプラグ３０は、端子３２，３３と電線３４，３５とを略直角に接続したＬ型プラグであって、絶縁性を有するプラスチックにて成形したプラグ本体３１と、プラグ本体３１の前端側に突設した２本のピン型端子３２，３２及びアース用のピン型端子３３と、端子３２，３２に接続した電線３４，３４及び端子３３に接続した電線３５を１つに束ねて、プラグ本体３１の後端側に連設したコード３６とで構成している。
【０１０１】
プラグ本体３１は、端子３２，３２及び端子３３の基部を、熱硬化性プラスチックで形成した中子型のインサート部材３１ａに組付けた後、図示の各要素を熱可塑性プラスチックで形成したカバー型のプラグボディ３１ｂで被覆して一体化することにより、側面から見てストレート型に構成している。
【０１０２】
プラグボディ３１ｂは、上述の熱可塑性プラスチックを、図示しない射出成形装置によりインサート部材３１ａの前端面を除く外面と、コード３６の先端側外周面とに被覆して形成している。
【０１０３】
なお、熱可塑性プラスチックは、射出成形時において、プラグ本体３１の内部にも充填されるので、端子３２，３３がインサート部材３１ａの前端面より前方に突設した状態に固定され、電線３４，３５が所定の配線状態に固定される。
【０１０４】
端子３２，３２は、コンセントの端子挿入口に対して差し込みが許容される間隔を隔てて平行に突設している。また、端子３３は、コンセントのアース挿入口に対して差し込まれる位置に突設している。
【０１０５】
電線３４，３５は、芯線３４ａ，３５ａ外周に被覆した先端側の絶縁材３４ｂ，３５ｂを剥離除去して、絶縁材３４ｂ，３５ｂ先端より露出した芯線３４ａ，３５ａを、端子３２，３３の基部に圧着接続している。
【０１０６】
コード３６は、電線３４，３４，３５を１つに束ねて被覆した外装部３６ｂの先端側を剥離除去して、電線３４，３４，３５を外装部３６ｂ先端より所定長さ露出している。また、外装部３６ｂの先端側を、後述する電線配線部３７と連通してプラグ本体３１の後端側に連設している。
【０１０７】
外装部３６ｂ先端より露出した電線３４，３４は、プラグ本体３１の内部に形成した電線配線部３７に配線するとともに、該電線配線部３７の幅方向Ｂ中央部に設定した中心部Ｐ２を中心として、周方向に設定した左右の配線経路Ｃ３に沿って配線している。  
なお、電線３５は、電線３４よりも弛みを持たせて電線配線部３７の中央部に配線している。
【０１０８】
配線経路Ｃ３上には、中心部Ｐ２を中心として、電線３４を配線経路Ｃ３と直交する幅方向Ｂに向けてＵ字状に変形した状態に保持又は矯正する電線保持部３７ａ，３７ｂ，３７ｃを同心円に配置している。  
電線保持部３７ａ〜３７ｃは、電線３４の配線が許容される間隔を隔てて配線経路Ｃ３に沿って周方向に配列するとともに、配線経路Ｃ３に対して互い違いとなるように千鳥状に配列している。
【０１０９】
電線保持部３７ａは、コード２６の外装部３６ｂの先端側外周部を長手方向Ａに延長してなる仮想延長線よりも外側で、配線経路Ｃ３の外側寄りに偏心して配置している。また、電線保持部３７ｂ，３７ｃは、上述の仮想延長線よりも外側で配線経路Ｃ３の内側寄りに偏心して配置している。  
なお、電線保持部３７ｂ，３７ｃの間には、電線３４が接続された端子３２を配置している。
【０１１０】
上述の電線３４，３４をプラグ本体３１の電線配線部３７に配線する場合、図３に示すように、コード３６の外装部３６ｂ先端より露出した電線３４，３４を、プラグ本体３１の電線配線部３７に設定した左右の配線経路Ｃ３に沿って対称に配線する。
【０１１１】
つまり、電線３４を、配線経路Ｃ３と直交する幅方向Ｂに向けてＵ字状に変形するとともに、該電線３４をＵ字状に変形してなる変形部３４ｃ，３４ｄ，３４ｅを、配線経路Ｃ３上に配列した電線保持部３７ａ，３７ｂ，３７ｃに対して巻き付けるように引っ掛けて、図３［ｂ］に示すようにＳ字状に蛇行した状態に配線する。
【０１１２】
すなわち、前記実施形態と同様に、前述の引張り荷重がプラグ３０のコード３６に付加されることによって、電線配線部３７の電線保持部３７ａ〜３７ｃに引っ掛けられた電線３４の変形部３４ｃ〜３４ｅが真っ直ぐな状態に引き伸ばされようとする。
【０１１３】
ところが、電線保持部３７ａ〜３７ｃによって電線３４の変形部３４ｃ〜３４ｅを変形した状態に保持又は矯正しているので、引張り荷重が付加されるほど、電線３４の変形部３４ｃ〜３４ｅが電線保持部３７ａ〜３７ｃに対して押し付けられる（図３［ｂ］参照）。
【０１１４】
これにより、電線３４に付加される引張り荷重を、該電線３４の変形部３４ｃ〜３４ｅが押し付けられた電線保持部３７ａ〜３７ｃにて受けることができる。  
この結果、引張り荷重が電線保持部３７ａ〜３７ｃに分散して付加され、かつ、周方向にも分散されるので、１つの電線保持部３７ａ〜３７ｃにて受ける引張り荷重が小さくなり、引張り荷重に対する構造的強度及び耐久性が向上する。
【０１１５】
また、引張り荷重が端子３２と電線３４との接続部分に直接付加されることを防止できるので、前記実施形態と略同等の作用及び効果を奏することができる。  
さらにまた、プラグ本体３１からコード３６が引き抜かれることを防止する抜止め効果、コード３６に断線が起きることを防止する断線防止効果も得られる。
【０１１６】
次に、その他の配線例におけるストレート型を有するプラグ４０の電線配線構造について説明する。  
図４［ａ］はアース用の端子を備えたプラグ４０の電線配線構造を示す縦断側面図、図４［ｂ］は電線４４，４５の配線状態を示すＤ−Ｄ線矢視断面図である。
【０１１７】
上述のプラグ４０は、端子４２，４３と電線４４，４５とを略直線に接続したストレート型プラグであって、絶縁性を有するプラスチックにて成形した円筒状のプラグ本体４１と、プラグ本体４１の前端側に突設した２本の平型端子４２，４２及びアース用のピン型端子４３と、端子４２，４２に接続した電線４４，４４及び端子４３に接続した電線４５を１つに束ねて、プラグ本体４１の後端側に連設したコード４６とで構成している。
【０１１８】
プラグ本体４１は、端子４２，４２及び端子４３の基部を、熱硬化性プラスチックで形成した中子型のインサート部材４１ａに組付けた後、熱硬化性プラスチックで形成した半割り形状のインサート部材４１ｂ，４１ｂを、インサート部材４１ａを挟み込むようにして該インサート部材４１ａの両側外周面に嵌着する。
【０１１９】
インサート部材４１ｂ，４１ｂの両側対向縁部を互いに係合して一体的に組付けた後、部材４１ａ，４１ｂ，４１ｂを熱可塑性プラスチックで形成したカバー型のプラグボディ４１ｃで被覆して一体化することにより、側面から見てストレート型に構成している。
【０１２０】
プラグボディ４１ｃは、上述の熱可塑性プラスチックを、図示しない射出成形装置によりインサート部材４１ａの前端面を除く、インサート部材４１ａ，４１ｂ，４１ｂの外面及びコード４６の先端側外周面に被覆して形成している。
【０１２１】
なお、熱可塑性プラスチックは、射出成形時において、プラグ本体４１の内部にも充填するので、端子４２，４３がインサート部材４１ａの前端側に突設した状態に固定され、電線４４，４５が所定の配線状態に固定される。
【０１２２】
端子４２，４２は、コンセントの端子挿入口に対して差し込みが許容される間隔を隔てて平行に突設している。また、端子４３は、コンセントのアース挿入口に対して差し込みが許容される位置に突設している。
【０１２３】
電線４４，４５は、芯線４４ａ，４５ａ外周に被覆した先端側の絶縁材４４ｂ，４５ｂを剥離除去して、絶縁材４４ｂ，４５ｂ先端より露出した芯線４４ａ，４５ａを、端子４２，４３の基部に圧着接続している。
【０１２４】
コード４６は、電線４４，４４，４５を１つに束ねて被覆した外装部４６ｂの先端側を剥離除去して、電線４４，４４，４５を外装部４６ｂ先端より所定長さ露出している。また、外装部４６ｂの先端側を、後述する電線配線部４７と連通してプラグ本体４１の後端側に連設している。
【０１２５】
外装部４６ｂ先端より露出した電線４４，４４は、プラグ本体４１の内部に形成した電線配線部４７に配線するとともに、該電線配線部４７の幅方向Ｂ中央部を通る位置に設定した中心線Ｐ１を基準として、該中心線Ｐ１の両側に設定したプラグ本体４１の長手方向Ａと平行する左右の配線経路Ｃ４に沿って配線している。  
なお、電線４５は、電線４４よりも弛みを持たせて電線配線部４７の中央部に配線している。
【０１２６】
配線経路Ｃ４上には、電線４４を配線経路Ｃ４と直交する幅方向Ｂに向けてＵ字状に変形した状態に保持又は矯正する電線保持部４７ａ，４７ｂ，４７ｃを配置している。  
電線保持部４７ａ〜４７ｃは、電線４４の配線が許容される間隔を隔てて配線経路Ｃ４に沿って長手方向Ａに配列するとともに、幅方向Ｂに位置をずらして配線経路Ｃ４に対して互い違いとなるように千鳥状に配列している。
【０１２７】
電線保持部４７ａ，４７ｃは、コード４６の外装部４６ｂの先端側中心部よりも外側で、該先端側外周部を長手方向Ａに延長してなる仮想延長線よりも内側に配置している。また、電線保持部４７ｂは、上述の仮想延長線上に配置するとともに、配線経路Ｃ４と直交して電線配線部４７の両側内壁部に突設している。  
なお、電線保持部４７ｂ，４７ｃの間には、電線４４が接続された端子４２を配置している。
【０１２８】
上述の電線４４，４４をプラグ本体４１の電線配線部４７に配線する場合、図４に示すように、コード４６の外装部４６ｂ先端より露出した電線４４を、プラグ本体４１の電線配線部４７に設定した配線経路Ｃ４，Ｃ４に沿って左右対称に配線する。
【０１２９】
つまり、電線４４を、配線経路Ｃ４と直交する幅方向Ｂに向けてＵ字状に変形するとともに、該電線４４をＵ字状に変形してなる変形部４４ｃ，４４ｄ，４４ｅを、配線経路Ｃ４上に配列した電線保持部４７ａ，４７ｂ，４７ｃに引っ掛けて、図４［ｂ］に示すようにＳ字状に蛇行した状態に配線する。
【０１３０】
すなわち、前記実施形態と同様に、前述の引張り荷重がプラグ４０のコード４６に付加されることによって、電線配線部４７の電線保持部４７ａ〜４７ｃに引っ掛けられた電線４４の変形部４４ｃ〜４４ｅが真っ直ぐな状態に引き伸ばされようとする。
【０１３１】
ところが、電線保持部４７ａ〜４７ｃによって電線４４の変形部４４ｃ〜４４ｅを変形した状態に保持又は矯正しているので、引張り荷重が付加されるほど、電線４４の変形部４４ｃ〜４４ｅが電線保持部４７ａ〜４７ｃに対して押し付けられる（図４［ｂ］参照）。
【０１３２】
これにより、電線４４に付加される引張り荷重を、該電線４４の変形部４４ｃ〜４４ｅが押し付けられた電線保持部４７ａ〜４７ｃにて受けることができるとともに、引張り荷重を幅方向Ｂに分散させることができる。
【０１３３】
この結果、電線４４に付加される引張り荷重が内側寄りの電線保持部４７ａ，４７ｃと外側寄りの電線保持部４７ｂとに分散して付加され、かつ、幅方向Ｂにも分散されるので、１つの電線保持部４７ａ〜４７ｃにて受ける引張り荷重が小さくなり、大きな引張り荷重にも耐え得る構造的強度を確保と、耐久性の向上とを図ることができる。
【０１３４】
また、引張り荷重が端子４２と電線４４との接続部分に直接付加されることを防止できるので、前記実施形態と略同等の作用及び効果を奏することができる。  
さらにまた、プラグ本体４１からコード４６が引き抜かれることを防止する抜止め効果、コード４６に断線が起きることを防止する断線防止効果も得られる。
【０１３５】
次に、図５を用いて、電線１４の他の配線例について説明する。図５［ａ］［ｂ］は電線１４の他の配線例を示すプラグ１０の配線説明図である。  
上述の電線１４を配線する場合、コード１６の電線１４をＵ字状に変形してなる変形部１４ｄは、中心線Ｐ１寄りに配置した内側の電線保持部１７ｂに引っ掛ける。また、変形部１４ｄの前後に形成した変形部１４ｃ，１４ｅは、電線保持部１７ｂよりも外側寄りに配置した電線保持部１７ａ，１７ｃに引っ掛ける（図５［ａ］参照）。
【０１３６】
あるいは、コード１６の電線１４をＵ字状に変形してなる変形部１４ｃを、コード１６の外径よりも幅広に形成され、電線配線部１７の中央部で中心線Ｐ１上に配置した電線保持部１７ａの側縁部に引っ掛ける。また、電線１４の変形部１４ｄは、電線保持部１７ｂに引っ掛ける（図５［ｂ］参照）。
【０１３７】
すなわち、前述の引張り荷重がプラグ１０のコード１６に付加されることによって、電線１４の変形部１４ｃ〜１４ｅが電線保持部１７ａ〜１７ｃに対して押し付けられる。  
これにより、電線１４に付加される引張り荷重を、該電線１４の変形部１４ｃ〜１４ｅが押し付けられた電線保持部１７ａ〜１７ｃにて受けることができる。
【０１３８】
この結果、上述のように電線１４を配線することにより、前述の張り荷重が端子１２と電線１４との接続部分に直接付加されることを防止でき、前記実施形態と略同等の作用及び効果を奏することができる。  
なお、電線１５は、電線保持部１７ａに形成した図示しない孔部に挿通して中央に配線している。
【０１３９】
次に、図６を用いて、電線２４，４４のその他の配線例について説明する。図６［ａ］は電線２４のその他の配線例を示すプラグ２０の配線説明図、図６［ｂ］は電線４４のその他の配線例を示すプラグ４０の配線説明図である。
【０１４０】
上述の電線２４を配線する場合、コード２６の電線２４をＵ字状に変形してなる変形部２４ｄ，２４ｅは、平面から見て弧状に形成した曲率半径が大きい電線保持部２７ｂの前後縁部に対して巻き付けるように引っ掛ける。また、電線２４の変形部２４ｃは、電線保持部２７ａに引っ掛ける（図６［ａ］参照）。
【０１４１】
すなわち、前述の引張り荷重がプラグ２０のコード２６に付加されることによって、電線２４の変形部２４ｄ，２４ｅが電線保持部２７ａ，２７ｂに対して押し付けられる。  
これにより、電線２４に付加される引張り荷重を、該電線２４の変形部２４ｄ，２４ｅが押し付けられた電線保持部２７ａ，２７ｂにて受けることができる。また、電線保持部２７ｂの曲率半径が大きいので、電線２４に付加される応力を軽減することができ、断線が発生することを防止できる。
【０１４２】
次に、電線４４を配線する場合、コード４６の電線４４をＵ字状に変形してなる変形部４４ｄは、コード４６の外径と略同一幅又は幅広に形成した電線保持部４７ｂの側縁部に引っ掛ける。また、変形部４４ｄの前後に形成した変形部４４ｃ，４４ｅは、電線保持部４７ｂの前後に配置した電線保持部４７ａ，４７ｃに引っ掛ける（図６［ｂ］参照）。
【０１４３】
すなわち、前述の引張り荷重がプラグ４０のコード４６に付加されることによって、電線４４の変形部４４ｃ〜４４ｅが電線保持部４７ａ〜４７ｃに対して押し付けられる。  
これにより、電線４４に付加される引張り荷重を、該電線４４の変形部４４ｃ〜４４ｅが押し付けられた電線保持部４７ａ〜４７ｃにて受けることができる。
【０１４４】
この結果、上述のように電線２４，４４を配線することにより、前述の張り荷重が端子２２と電線２４との接続部分及び端子４２と電線４４との接続部分に直接付加されることを防止でき、前記実施形態と略同等の作用及び効果を奏することができる。  
なお、電線４５は、電線保持部４７ｂに形成した図示しない孔部に挿通して中央に配線している。
【０１４５】
次に、図７を用いて、電線１４のその他の配線例について説明する。図７は電線１４のその他の配線例を示すプラグ１０の配線説明図である。
【０１４６】
上述の電線１４を配線する場合、コード１６の電線１４をＵ字状に変形してなる変形部１４ｃ，１４ｅは、プラグ本体１１の長手方向Ａと平行して形成した断面横長形状を有する１つの電線保持部１７ａの前後縁部に対して巻き付けるように引っ掛けて、図７に示すように電線配線部１７の内壁面に沿った状態に配線する。
【０１４７】
すなわち、前述の引張り荷重がプラグ１０のコード１６に付加されることによって、電線１４の変形部１４ｃ，１４ｅが電線保持部１７ａに対して押し付けられる。また、変形部１４ｃ，１４ｅと対応する電線１４の周面は、電線配線部１７の内壁面に対して押し付けられ、Ｕ字状に変形した状態に保持又は矯正されている。
【０１４８】
これにより、電線１４に付加される引張り荷重を、該電線１４の変形部１４ｃ，１４ｅが押し付けられた電線保持部１７ａの前後縁部と電線配線部１７の内壁面にて受けることができる。
【０１４９】
この結果、上述のように電線１４を配線することにより、前述の張り荷重が端子１２と電線１４との接続部分に直接付加されることを防止でき、前記実施形態と略同等の作用及び効果を奏することができる。  
なお、上述の他の配線例及びその他の配線例において、前述の実施形態と同一構成の部分は同一の符号を記してその詳細な説明を省略する。
【０１５０】
この発明の構成と、前記実施形態との対応において、  
この発明の電線配線部は、実施形態の電線配線部１７，２７，３７，４７に対応し、  
以下同様に、  
電線保持部は、電線保持部１７ａ〜１７ｃ、２７ａ〜２７ｃ、３７ａ〜３７ｃ、４７ａ〜４７ｃに対応するも、  
この発明は、上述の実施形態の構成のみに限定されるものではなく、請求項に示される技術思想に基づいて応用することができ、多くの実施の形態を得ることができる。
【０１５１】
本発明のプラグの電線配線構造は、実施形態で説明したアース用の端子を突設したプラグのみに用途が限定されるものではなく、例えば２本の端子を突設した一般的なプラグにも適用することができる。
【０１５２】
また、実施形態では、電線１４，２４，３４，４４を幅方向Ｂに変形してＳ字状に蛇行した状態に配線した構造を説明しているが、例えば電線１４，２４，３４，４４を縦方向に変形してＳ字状に蛇行した状態に配線するように構成してもよい。
【０１５３】
なお、上述のプラグ１０，２０，３０，４０における電線配線構造は、該プラグ１０〜４０の構造のみに限定されるものではなく、他のプラグの電線配線構造としても適用することができる。
【符号の説明】
【０１５４】
Ａ…長手方向
Ｂ…幅方向
Ｐ１…中心線
Ｐ２…中心部
Ｃ１〜Ｃ４…配線経路
１０，２０，３０，４０…プラグ
１１，２１，３１，４１…プラグ本体
１２，１３，２２，２３，３２，３３，４２，４３…端子
１４，１５，２４，２５，３４，３５，４４，４５…電線
１４ｃ〜１４ｅ，２４ｃ〜２４ｅ，３４ｃ〜３４ｅ，４４ｃ〜４４ｅ…変形部
１６，２６，３６，４６…コード
１７，２７，３７，４７…電線配線部
１７ａ〜１７ｃ，２７ａ〜２７ｃ，３７ａ〜３７ｃ，４７ａ〜４７ｃ…電線保持部
１８…サーミスタ
１８ａ…信号線
１９…電流遮断装置
【図１】
2013069107.tif 000003
【図２】
2013069107.tif 000004
【図３】
2013069107.tif 000005
【図４】
2013069107.tif 000006
【図５】
2013069107.tif 000007
【図６】
2013069107.tif 000008
【図７】
2013069107.tif 000009
【手続補正書】
【提出日】平成24年2月22日(2012.2.22)
【手続補正１】
【補正対象書類名】明細書
【補正対象項目名】全文
【補正方法】変更
【補正の内容】
【発明の詳細な説明】
【技術分野】
【０００１】
この発明は、例えば電気自動車、ハイブリッド自動車の充電用プラグ、あるいは、電子レンジ、トースター、電子機器、電気機器、電気器具等に対して電力を供給する際に用いられるプラグの電線配線構造に関する。
【背景技術】
【０００２】
従来、上述のプラグとしては、例えば電線の芯線を端子の基部に接続し、電線の先端側及び端子の基部側を塩化ビニル樹脂で被覆して一体成形した電源プラグが提案されている（特許文献１参照）。この電源プラグは、電線の先端より露出した芯線を端子の基部にカシメ接続あるいはハンダ接続した電線配線構造を有している。
【０００３】
しかし、上述の電源プラグを手で掴むことなく、例えばコンセント等の電源から抜き取る場合、電源プラグに連設された電線を手で引っ張るか、あるいは、人間や動物、カート、台車等が電線に引っ掛かる等して強制的に抜き取られることがある。
【０００４】
上述のようにして電源プラグを抜き取る際、電線に対して引張り荷重が付加されるが、その引張り荷重は、電線と端子との接続部分に直接付加されるため、電線と端子との接続部分に例えば剥離や断線等が発生しやすく、電気的接続状態を維持することができなくなるという問題があった。
【先行技術文献】
【特許文献】
【０００５】
【特許文献１】特開平７−３３５３０１号公報
【発明の概要】
【発明が解決しようとする課題】
【０００６】
この発明は、電線と端子との電気的接続状態が長期に亘り安定して得られ、所定の導電性を確保することができるプラグの電線配線構造を提供することを目的とする。
【課題を解決するための手段】
【０００７】
この発明は、電源に差し込まれる複数の端子をプラグ本体の前端側に突設し、該端子に接続された電線をプラグ本体の後端側に連設したプラグの電線配線構造であって、前記プラグ本体の内部に、前記端子に接続された電線を配線する電線配線部を設け、前記電線配線部に設定した前記電線を配線する配線経路上に、該配線経路と直交する方向に向けて前記電線を変形した状態に保持する電線保持部を設け、前記配線経路を、前記電線配線部の中心部を中心として周方向に設定し、
前記電線保持部を、前記周方向に設定した前記配線経路に沿って前記電線の配線が許容される間隔を隔てて複数配列したプラグの電線配線構造である。
【０００８】
この発明によれば、端子と電線との電気的接続状態が長期に亘り安定して得られ、所定の導電性を確保することができる。  
詳述すると、端子に接続された電線を、プラグ本体の電線配線部内に設定した配線経路に沿って配線するとともに、配線経路に設けた電線保持部によって該配線経路と直交する方向に例えば湾曲、屈曲、折曲げるなどして変形した状態に保持する。
【０００９】
上述のプラグを、例えばコンセント等の電源に差し込んだ状態において、電線を手で引っ張って、プラグをコンセントから抜き取る際、あるいは、人間や動物、カート、台車等が電線に引っ掛かるなどして、プラグがコンセントから抜き取られる際、プラグに連設された電線に対して、例えば湾曲、屈曲、折曲げ等による引張り荷重が付加される。
【００１０】
つまり、上述の引張り荷重が電線に付加されることによって、電線配線部の電線保持部にて保持された電線の変形部が真っ直ぐな状態に引き伸ばされようとするが、電線保持部によって電線の変形部を変形した状態に保持しているので、電線に対して引張り荷重が付加されるほど、電線の変形部が電線保持部に対して押し付けられる。
【００１１】
これにより、電線に付加される引張り荷重を、該電線の変形部が押し付けられた配線経路上の電線保持部にて受けることができる。  
この結果、電線に付加される引張り荷重が、該電線と端子との接続部分に直接付加されることを防止でき、良好な接続状態を維持することができる。
【００１２】
また、電線に付加される引張り荷重が大きくなるほど、電線の変形部が電線保持部に対して強く押し付けられるので、その押し付け部分に生じる接触抵抗によって、電線配線部に配線した電線の配線状態や配線位置が変位することを防止できる。さらにまた、プラグ本体から電線が引き抜かれることを防止する効果も得られる。
【００１３】
さらに、この発明によれば、引張り荷重を周方向に分散させて、電線保持部にて受ける引張り荷重を小さくすることができる。  
詳述すると、端子に接続された電線を、電線配線部内に設定した配線経路に沿って周方向に配線するとともに、周方向に設定した配線経路上の複数の電線保持部によって該配線経路と直交する方向に変形した状態に保持する。
【００１４】
上述のように配線した電線に対して引張り荷重が付加されることによって、各電線保持部にて保持された電線の各変形部が真っ直ぐな状態に引き伸ばされようとするが、各電線保持部によって電線の各変形部を変形した状態に保持しているので、電線に付加される引張り荷重を、周方向の配線経路上に配置した複数の電線保持部で受けて、周方向に分散させることができる。
【００１５】
この結果、引張り荷重が複数の電線保持部に分散して付加され、かつ、周方向にも分散されるので、電線保持部にて受ける引張り荷重が小さくなり、引張り荷重に対する耐久性が向上する。
【００１６】
また、この発明は、電源に差し込まれる複数の端子をプラグ本体の前端側に突設し、該端子に接続された電線をプラグ本体の後端側に連設したプラグの電線配線構造であって、前記プラグ本体の内部に、前記端子に接続された電線を配線する電線配線部を設け、前記電線配線部に設定した前記電線を配線する配線経路上に、該配線経路と直交する方向に向けて前記電線を変形した状態に保持する電線保持部を設け、前記配線経路を、前記電線配線部の中心部を中心として周方向に設定し、前記配線経路を、前記電線配線部の幅方向中央部を通る位置に設定した中心線を基準として、該中心線の両側に前記プラグ本体の長手方向と平行して設定し、前記電線保持部を、前記中心線の両側に設定した各配線経路に沿って前記電線の配線が許容される間隔を隔てて複数配列したプラグの電線配線構造である。
【００１７】
この発明によれば、引張り荷重を幅方向に分散させて、電線保持部にて受ける引張り荷重を小さくすることができる。  
詳述すると、端子に接続された電線を、プラグ本体の電線配線部内に設定した両側の配線経路に沿って配線するとともに、両側の配線経路上に配列した各電線保持部によって該各配線経路と直交する方向に変形した状態に保持する。
【００１８】
上述のように配線した電線に対して引張り荷重が付加されることによって、各電線保持部に押し付けられた電線の各変形部が真っ直ぐな状態に引き伸ばされようとするが、各電線保持部によって電線を変形した状態に保持しているので、電線に付加される引張り荷重を、両側の配線経路上に配置した複数の電線保持部で受けて、幅方向に分散させることができる。
【００１９】
この結果、引張り荷重が複数の電線保持部に分散して付加され、かつ、幅方向にも分散されるので、電線保持部にて受ける引張り荷重が小さくなり、引張り荷重に対する耐久性が向上する。
【００２０】
また、この発明は、電源に差し込まれる複数の端子をプラグ本体の前端側に突設し、該端子に接続された電線をプラグ本体の後端側に連設したプラグの電線配線構造であって、前記プラグ本体の内部に、前記端子に接続された電線を配線する電線配線部を設け、前記電線配線部に設定した前記電線を配線する配線経路上に、該配線経路と直交する方向に向けて前記電線を変形した状態に保持する電線保持部を設け、前記配線経路を、前記電線配線部の中心部を中心として周方向に設定し、前記電線保持部を、前記配線経路の外側寄りに偏心した位置と、該配線経路の内側寄りに偏心した位置とに配置して、該配線経路に沿って互い違いとなるように、前記電線の配線が許容される間隔を隔てて複数配列したプラグの電線配線構造である。 
この発明によれば、引張り荷重を外側及び内側に分散させて、電線保持部にて受ける引張り荷重がさらに小さくすることができる。
【００２１】
詳述すると、端子に接続された電線を、電線配線部内に設定した配線経路と直交する方向に変形するとともに、該電線の各変形部を、配線経路の外側寄りに配置した電線保持部と内側寄りに配置した電線保持部によって互い違いとなる方向に変形した状態に保持する。
【００２２】
上述のように配線した電線に対して引張り荷重が付加されることによって、外側寄りの電線保持部と内側寄りの電線保持部とで保持された電線の各変形部が真っ直ぐな状態に引き伸ばされようとするが、外側寄りの電線保持部と内側寄りの電線保持部とによって電線を変形した状態に保持しているので、電線に付加される引張り荷重を、外側寄りの電線保持部と内側寄りの電線保持部とで受けて、外側及び内側に向けて分散させることができる。
【００２３】
この結果、引張り荷重が複数の電線保持部に分散して付加され、かつ、外側及び内側にも分散されるので、電線保持部にて受ける引張り荷重がさらに小さくなり、引張り荷重に対する耐久性が向上する。
【００２４】
前記プラグ本体は、例えばメラミン樹脂、ユリヤ樹脂、フェノール樹脂等の熱硬化性プラスチック、或いは、ＰＶＣ樹脂、ポリスチレン樹脂、ポリアミド樹脂、ポリプロピレン樹脂等の熱可塑性プラスチックで構成することができる。  
端子は、例えば平型ブレード、ピン型ブレード等で構成することができる。また、端子は、例えば黄銅、銅、銅合金等の導電性に優れた金属で形成することができる。
【００２５】
電線は、例えば銅線、メッキ処理（金、錫等）した銅線等を多数本集束してなる導体の周面全長、又は、所定の線径に形成した１本の導体の周面全長を、例えばＰＶＣ樹脂、ポリエチレン樹脂等の熱可塑性樹脂混合物、あるいは、クロロプレンゴム、ＥＰゴム、クロロスルホルン化ポリエチレンゴム等のゴム素材よりなる外装部で被覆して構成することができる。  
なお、外装部は、例えば繊維、糸等の絶縁体が巻回された導体の周面全長を、上述のゴム素材で被覆して構成してもよい。
【発明の効果】
【００２６】
この発明によれば、端子と電線との電気的接続状態が長期に亘り安定して得られ、所定の導電性を確保することができる。
【図面の簡単な説明】
【００２７】
【図１】アース用の端子を備えたプラグの電線配線構造を示す縦断側面図、電線の配線状態を示すＡ−Ａ線矢視断面図。
【図２】アース用の端子を備えたプラグの電線配線構造を示す縦断側面図、電線の配線状態を示すＢ−Ｂ線矢視断面図。
【図３】アース用の端子を備えたプラグの電線配線構造を示す縦断側面図、電線の配線状態を示すＣ−Ｃ線矢視断面図。
【図４】アース用の端子を備えたプラグの電線配線構造を示す縦断側面図、電線の配線状態を示すＤ−Ｄ線矢視断面図。
【図５】電線の他の配線例を示すプラグの配線説明図。
【図６】電線のその他の配線例を示すプラグの配線説明図。
【図７】電線のその他の配線例を示すプラグの配線説明図。
【発明を実施するための形態】
【００２８】
この発明の一実施形態を以下図面に基づいて詳述する。  
図１［ａ］はアース用の端子を備えたプラグ１０の電線配線構造を示す縦断側面図、図１［ｂ］は電線１４，１５の配線状態を示すＡ−Ａ線矢視断面図である。
【００２９】
本実施形態のプラグ１０は、端子１２，１３と電線１４，１５とを略直角に接続したＬ型プラグであって、絶縁性を有するプラスチックにて成形したプラグ本体１１と、プラグ本体１１の前端側に突設した２本の平型端子１２，１２及びアース用のピン型端子１３と、端子１２，１２，１３に接続した３本の電線１４，１４，１５を１つに束ねて、プラグ本体１１の後端側に連設したコード１６とで構成している。  
また、コード１６は、後述する電流遮断装置１９を介して図示しない負荷装置に接続している。
【００３０】
プラグ本体１１は、平型ブレードからなる端子１２，１２の基部及びピン方ブレードからなる端子１３の基部を、メラミン樹脂などの熱硬化性プラスチックで形成した中子型のインサート部材１１ａに組付けた後、端子１２，１３が突設された前端面を除くインサート部材１１ａの全体と、端子１２，１３に接続された電線１４，１５及びコード１６の先端側外周面とを、ポリ塩化ビニルなどの熱可塑性プラスチックで形成したカバー型のプラグボディ１１ｂで被覆して一体化することにより、側面から見てＬ型に構成している。
【００３１】
プラグボディ１１ｂは、上述の熱可塑性プラスチックを、図示しない射出成形装置によりインサート部材１１ａの前端面を除く外面と、コード１６の先端側外周面とに被覆して形成している。  
なお、熱可塑性プラスチックは、射出成形時において、プラグ本体１１の内部にも充填するので、端子１２，１３がインサート部材１１ａの前端側に突設した状態に固定され、電線１４，１５が所定の配線状態に固定される。
【００３２】
端子１２，１２は、例えばＪＩＳ規格Ｃ２６８０で示される黄銅（Ｃｕ６４．０〜６８．０ｗｔ％、Ｐｂ含有率が０．０５ｗｔ％以下と僅小な黄銅）からなる平型ブレードで構成され、プラグ本体１１の前端面より前方に向けて突出するとともに、図示しないコンセントの端子挿入口に対して差し込みが許容される間隔を隔てて平行に突設している。
【００３３】
端子１３は、例えばＪＩＳ規格Ｃ３６０１で示される快削黄銅（Ｐｂ１．８〜３．７ｗｔ％含有）からなるピン型ブレードで構成され、プラグ本体１１の前端面より前方に向けて突出するとともに、コンセントのアース挿入口に対して差し込みが許容される位置に突設している。
【００３４】
電線１４，１５は、導電性を有する線条の導体を複数本束ねてなる芯線１４ａ，１５ａと、該芯線１４ａ，１５ａの外周に被覆した絶縁性を有する絶縁材１４ｂ，１５ｂとで構成している。
【００３５】
また、端子１２，１３の基部に圧着接続される電線１４，１５の接続側先端部は、絶縁材１４ｂ，１５ｂを剥離除去して、絶縁材１４ｂ，１５ｂの先端より芯線１４ａ，１５ａを所定長さ露出している。
【００３６】
さらに、絶縁材１４ｂ，１５ｂの先端より露出した芯線１４ａ，１５ａの露出側端部は、端子１２，１３の基部に対してそれぞれ圧着接続している。
【００３７】
コード１６は、端子１２，１２に接続された電線１４，１４と、端子１３に接続された電線１５とを、１つに束ねたまま絶縁性を有する外装部１６ｂで被覆して構成している。
【００３８】
また、プラグ本体１１の後端側に連設されるコード１６の連設側先端部は、外装部１６ｂを剥離除去して、外装部１６ｂ先端より電線１４，１４，１５を所定長さ露出している。  
さらに、電線１４，１４，１５が露出されたコード１６の外装部１６ｂ先端は、後述する電線配線部１７と連通してプラグ本体１１の後端側に連設している。
【００３９】
次に、図１を用いて、プラグ１０の電線１４，１４を配線する電線配線構造について説明する。  
プラグ本体１１の内部には、コード１６の外装部１６ｂ先端より露出され、かつ、端子１２，１２，１３に接続された電線１４，１４，１５の配線が許容される大きさ及び形状に形成した電線配線部１７を設けている。
【００４０】
外装部１６ｂ先端より露出した電線１４，１４は、プラグ本体１１の内部に形成した電線配線部１７に配線するとともに、該電線配線部１７の幅方向Ｂ中央部を通る位置に設定した中心線Ｐ１を基準として、該中心線Ｐ１の両側に設定したプラグ本体１１の長手方向Ａと平行する左右の配線経路Ｃ１に沿って配線している（図１［ｂ］参照）。
【００４１】
配線経路Ｃ１上には、電線１４を配線経路Ｃ１と直交する幅方向Ｂに向けてＵ字状に変形した状態に保持又は矯正する電線保持部１７ａ，１７ｂ，１７ｃを配置している。
【００４２】
電線保持部１７ａ〜１７ｃは、配線経路Ｃ１に沿って電線１４の配線が許容される間隔を隔てて配線経路Ｃ１に沿って長手方向Ａに配列するとともに、幅方向Ｂに位置をずらして配線経路Ｃ１に対して互い違いとなるように千鳥状に配列している。
【００４３】
電線保持部１７ａは、コード１６の外装部１６ｂの先端側中心部よりも外側で配線経路Ｃ１の内側寄りに偏心して配置するとともに、該外装部１６ｂの先端側外周部を長手方向Ａに延長してなる仮想延長線上に配置している。
【００４４】
電線保持部１７ｂは、外装部１６ｂの先端側外周部を長手方向Ａに延長してなる仮想延長線よりも外側で配線経路Ｃ１の外側寄りに偏心して配置するとともに、配線経路Ｃ１と直交して電線配線部１７の両側内壁部に突設している。
【００４５】
電線保持部１７ｃは、外装部１６ｂの先端側外周部を長手方向Ａに延長してなる仮想延長線よりも外側で、電線保持部１７ｂよりも配線経路Ｃ１の内側寄りに偏心して配置するとともに、プラグ本体１１に突設された端子１２の基部近傍に配置している。
【００４６】
なお、アース用の端子１３に接続された電線１５は、コード１６の外装部１６ｂ先端から長手方向Ａに引き出すとともに、電線１４よりも弛みを持たせて電線配線部１７の中央部に配線している。
【００４７】
さらに、プラグ本体１１の前端側中央部には、該プラグ本体１１の露出側前端面の温度を検知するためのサーミスタ１８を配置している。  
サーミスタ１８は、プラグ本体１１を構成するインサート部材１１ａの前端側中央部で、端子１２，１２，１３の略真ん中にプラグ本体１１の長手方向Ａと平行して配置している。
【００４８】
また、インサート部材１１ａの露出側前端面とサーミスタ１８の検知側先端部との間は、露出側前端面の温度がサーミスタ１８に対して直接的に熱伝導される肉厚に形成している。
【００４９】
つまり、インサート部材１１ａの露出側前端面の温度がサーミスタ１８に対して直接的に熱伝導されるので、トラッキングが生じるような高温に達するまえに、図示しないコンセントから負荷装置への電流の供給を後述する電流遮断装置１９によって遮断することができる。
【００５０】
サーミスタ１８には、コード１６内に配線された信号線１８ａ，１８ａの一端側を接続している。また、信号線１８ａ，１８ａの他端側は、図示しないコンセントから負荷装置への電流の供給を遮断するための電流遮断装置１９に接続している。
【００５１】
また、信号線１８ａ，１８ａは、１つに束ねたままコード１６に挿入するとともに、その挿入側周面を外装部１６ｂで被覆している。  
信号線１８ａは、例えば屈曲や捻れ、引張り等の負荷（ストレス）がコード１６に付加された際、電線１４の芯線１４ａが断線するよりも先に、サーミスタ１８の信号線１８ａの断線が許容される線径に形成するか、その断線が許容される素材で構成している。
【００５２】
あるいは、信号線１８ａを長手方向Ａに対して緊張した状態に配線し、上述の負荷（ストレス）が付加された際、電線１４の芯線１４ａよりも先に断線するように構成してもよい。  
なお、負荷装置は、例えば電気自動車に搭載されたバッテリー、あるいは、電子レンジ、トースター、電気機器等で構成することができる。
【００５３】
電流遮断装置１９は、サーミスタ１８から出力される検知信号に基づいて、インサート部材１１ａの露出側前端面の温度変化に応じて変動するサーミスタ１８の抵抗値を算出する。そのサーミスタ１８の抵抗値と予め設定した閾値とを比較して、インサート部材１１ａの露出側前端面の温度が所定温度以下であるか否かを判定する。
【００５４】
つまり、インサート部材１１ａの露出側前端面の温度が上昇すると、サーミスタ１８の抵抗値が下がる。また、インサート部材１１ａの露出側前端面の温度が降下すると、サーミスタ１８の抵抗値が上がるので、インサート部材１１ａの露出側前端面の温度変化に応じて変動するサーミスタ１８の抵抗値の変化を検出することにより、インサート部材１１ａの露出側前端面の温度を正確に判定することができる。
【００５５】
インサート部材１１ａの露出側前端面の温度が所定温度以上に上昇し、サーミスタ１８の抵抗値が予め設定した閾値よりも低いと判定された場合、電流遮断装置１９によってコンセントから負荷装置への電流の供給を遮断する。  
また、インサート部材１１ａの露出側前端面の温度が所定温度以下に降下し、サーミスタ１８の抵抗値が閾値よりも高いと判定された場合、コンセントから負荷装置への電流の供給を継続する。
【００５６】
また、電流遮断装置１９は、サーミスタ１８の信号線１８ａが断線して、サーミスタ１８の回路がオープン状態（切断状態）となった場合、サーミスタ１８から信号が出力されないことを検知するとともに、その検知に基づいて、信号線１８ａが断線したことを図示しない報知手段にて報知する。
【００５７】
つまり、プラグ１０をコンセントに差し込んだ状態において、例えば屈曲や捻れ、引張り等の負荷（ストレス）がコード１６に付加された際、電線１４の芯線１４ａが断線するよりも先にサーミスタ１８の信号線１８ａが断線する。
【００５８】
サーミスタ１８の回路がオープン状態となり、サーミスタ１８から信号が出力されないことを検知した際、その検知に基づいて、信号線１８ａが断線したことを図示しない報知手段にて報知すれば、電線１４が断線する恐れがあることを知らせることができる。
【００５９】
次に、上述の電線１４，１４をプラグ本体１１の電線配線部１７に配線する配線方法について説明する。  
先ず、図１に示すように、コード１６の外装部１６ｂ先端より露出した電線１４，１４を、プラグ本体１１の電線配線部１７に設定した配線経路Ｃ１，Ｃ１に沿って左右対称に配線する。
【００６０】
つまり、電線１４を、配線経路Ｃ１と直交する幅方向Ｂに向けてＵ字状に変形するとともに、該電線１４をＵ字状に変形してなる変形部１４ｃ，１４ｄ，１４ｅを、配線経路Ｃ１上に配列した電線保持部１７ａ，１７ｂ，１７ｃに引っ掛けて、図１［ｂ］に示すようにＳ字状に蛇行した状態に配線する。
【００６１】
詳述すると、電線１４を中心線Ｐ１から離れる方向に向けて変形してなる変形部１４ｃは、配線経路Ｃ１の上流側に配置した電線保持部１７ａに外側から引っ掛けて、該電線保持部１７ａに対して外側から押し付けられた状態に配線する。  
また、変形部１４ｃ，１４ｅと対応する電線１４の周面は、電線配線部１７の内壁面に押し付けられ、Ｕ字状に変形した状態に保持又は矯正されている。
【００６２】
次に、電線１４を中心線Ｐ１に向けて変形してなる変形部１４ｄは、配線経路Ｃ１の略中央に配置した電線保持部１７ｂに内側から引っ掛けて、該電線保持部１７ｂに対して内側から押し付けられた状態に配線する。
【００６３】
次に、電線１４を中心線Ｐ１から離れる方向に向けて変形してなる変形部１４ｅは、配線経路Ｃ１の下流側に配置した電線保持部１７ｃに外側から引っ掛けて、該電線保持部１７ｃに対して外側から押し付けられた状態に配線する。
【００６４】
上述のように電線１４，１４が配線されたプラグ１０を図示しないコンセントに差し込んだ状態において、例えばコード１６を手で引っ張って、プラグ１０をコンセントから抜き取る際、あるいは、人間や動物、カート、台車等がコード１６に引っ掛かるなどして、プラグ１０がコンセントから抜き取られる際、プラグ１０に連設したコード１６内の電線１４，１５に対して、例えば湾曲、屈曲、折曲げ等による引張り荷重が付加される。
【００６５】
すなわち、上述のような引張り荷重がプラグ１０のコード１６に付加された場合、電線１５には弛みを持たせているので、電線１４のみに引張り荷重が付加される。その引張り荷重によって、電線配線部１７の電線保持部１７ａ〜１７ｃに引っ掛けられた電線１４の変形部１４ｃ〜１４ｅが真っ直ぐな状態に引き伸ばされようとする。
【００６６】
ところが、電線保持部１７ａ〜１７ｃによって電線１４の変形部１４ｃ〜１４ｅを変形した状態に保持又は矯正しているので、電線１４に対して引張り荷重が付加されるほど、電線１４の変形部１４ｃ〜１４ｅが電線保持部１７ａ〜１７ｃに対して押し付けられる（図１［ｂ］参照）。
【００６７】
これにより、電線１４に付加される引張り荷重を、該電線１４の変形部１４ｃ〜１４ｅが押し付けられた電線保持部１７ａ〜１７ｃにて受けることができるとともに、引張り荷重を幅方向Ｂに分散させることができる。
【００６８】
この結果、電線１４に付加される引張り荷重が、端子１２と電線１４との接続部分に直接付加されることを防止でき、良好な接続状態を維持することができる。また、端子１２と電線１４との電気的接続状態が長期に亘り安定して得られ、所定の導電性を確保することができる。
【００６９】
また、電線１４に付加される引張り荷重が内側寄りの電線保持部１７ａと外側寄りの電線保持部１７ｂ，１７ｃとに分散して付加され、かつ、幅方向Ｂにも分散されるので、１つの電線保持部１７ａ〜１７ｃにて受ける引張り荷重が小さくなり、大きな引張り荷重にも耐え得る構造的強度を確保と、耐久性の向上とを図ることができる。
【００７０】
さらにまた、電線１４に付加される引張り荷重が大きくなるほど、電線１４の変形部１４ｃ〜１４ｅが電線保持部１７ａ〜１７ｃに対して強く押し付けられるので、その押し付け部分に生じる接触抵抗によって、電線配線部１７に配線した電線１４の配線状態や配線位置が変位することも防止できる。また、プラグ本体１１からコード１６が引き抜かれることを防止する抜止め効果、コード１６に断線が起きることを防止する断線防止効果も得られる。
【００７１】
上述のプラグ１０をコンセントに差し込んだ状態において、プラグ１０の露出側前端面の温度をサーミスタ１８で検知するとともに、サーミスタ１８から出力される検知信号に基づいて、プラグ１０の露出側前端面の温度が所定温度以下であるか否かを電流遮断装置１９で判定する。
【００７２】
つまり、プラグ１０の露出側前端面の温度が所定温度以上に上昇すると、サーミスタ１８の抵抗値が予め設定した閾値よりも低くなるので、サーミスタ１８の抵抗値が予め設定した閾値よりも低いと判定される。この場合、コンセントから負荷装置への電流の供給を遮断する。
【００７３】
すなわち、サーミスタ１８によってプラグ１０の前端面に生じる温度変化を正確に検知することができ、トラッキングが生じるような高温に到達するまえに電流遮断装置１９によって電流の供給を遮断するので、プラグ１０の前端面が所定温度以上に過熱されず、プラグ１０の過熱が原因となる発火、火災等が起きるのを防止することができる。
【００７４】
また、例えば屈曲や捻れ、引張り等の負荷（ストレス）がコード１６に付加された際、電線１４の芯線１４ａよりも先にサーミスタ１８の信号線１８ａが断線し、サーミスタ１８の回路がオープン状態（切断状態）となる。
【００７５】
つまり、サーミスタ１８から信号が出力されないことを電流遮断装置１９にて検知した際、その検知に基づいて、電線１４が断線する恐れがあることを、該電線１４が断線するまえに図示しない報知手段にて報知することができる。
【００７６】
すなわち、電線１４よりも先に信号線１８ａを断線させて、その信号線１８ａの断線を検知することで、電線１４が突然切れては困る機器などについては、電線１４が突然断線してトラブルが発生するまえにプラグ１０及びコード１６の全体を交換することができる。この結果、機器に障害が起きることを防止することができる。
【００７７】
次に、他の配線例におけるＬ型を有するプラグ２０の電線配線構造について説明する。  
図２［ａ］はアース用の端子を備えたプラグ２０の電線配線構造を示す縦断側面図、図２［ｂ］は電線２４，２５の配線状態を示すＢ−Ｂ線矢視断面図である。
【００７８】
上述のプラグ２０は、端子２２，２３と電線２４，２５とを略直角に接続したＬ型プラグであって、絶縁性を有するプラスチックにて成形したプラグ本体２１と、プラグ本体２１の前端側に突設した２本のピン型端子２２，２２及び該前端側に埋設したアース用の平型端子２３と、端子２２，２２に接続した電線２４，２４及び端子２３に接続した電線２５を１つに束ねて、プラグ本体２１の後端側に連設したコード２６とで構成している。
【００７９】
プラグ本体２１は、端子２２，２２及び端子２３の基部を、熱硬化性プラスチックで形成した中子型のインサート部材２１ａに組付けた後、図示の各要素を熱可塑性プラスチックで形成したカバー型のプラグボディ２１ｂで被覆して一体化することにより、側面から見てストレート型に構成している。
【００８０】
プラグボディ２１ｂは、上述の熱可塑性プラスチックを、図示しない射出成形装置によりインサート部材２１ａの前端面及び前端側外周面を除く外面と、コード２６の先端側外周面とに被覆して形成している。
【００８１】
なお、熱可塑性プラスチックは、射出成形時において、プラグ本体２１の内部にも充填するので、端子２２，２３がインサート部材２１ａの前端側に突設した状態に固定され、電線２４，２５が所定の配線状態に固定される。
【００８２】
端子２２，２２は、コンセントの端子挿入口に対して差し込みが許容される間隔を隔てて平行に突設している。また、端子２３は、コンセント側のアース端子の差し込みが許容される位置に埋設している。
【００８３】
電線２４，２５は、芯線２４ａ，２５ａ外周に被覆した先端側の絶縁材２４ｂ，２５ｂを剥離除去して、絶縁材２４ｂ，２５ｂ先端より露出した芯線２４ａ，２５ａを、端子２２，２３の基部に圧着接続している。
【００８４】
コード２６は、電線２４，２４，２５を１つに束ねて被覆した外装部２６ｂの先端側を剥離除去して、電線２４，２４，２５を外装部２６ｂ先端より所定長さ露出している。また、外装部２６ｂの先端側を、後述する電線配線部２７と連通してプラグ本体２１の後端側に連設している。
【００８５】
外装部２６ｂ先端より露出した電線２４，２４は、プラグ本体２１の内部に形成した電線配線部２７に配線するとともに、該電線配線部２７の幅方向Ｂ中央部に設定した中心部Ｐ２を中心として、周方向に設定した左右の配線経路Ｃ２に沿って配線している。  
なお、電線２５は、電線２４よりも弛みを持たせて電線配線部２７の中央部に配線している。
【００８６】
配線経路Ｃ２上には、中心部Ｐ２を中心として、電線２４を配線経路Ｃ２と直交する幅方向Ｂに向けてＵ字状に変形した状態に保持又は矯正する電線保持部２７ａ，２７ｂ，２７ｃを同心円に配置している。  
電線保持部２７ａ〜２７ｃは、電線２４の配線が許容される間隔を隔てて配線経路Ｃ２に沿って周方向に配列するとともに、配線経路Ｃ２に対して互い違いとなるように千鳥状に配列している。
【００８７】
電線保持部２７ａは、コード２６の外装部２６ｂの先端側外周部近傍で、配線経路Ｃ２の外側寄りに偏心して配置している。また、電線保持部２７ｂ，２７ｃは、外装部２６ｂの先端側外周部を長手方向Ａに延長してなる仮想延長線よりも外側で、配線経路Ｃ２の内側寄りに偏心して配置している。  
なお、電線保持部２７ｂ，２７ｃの間には、電線２４が接続された端子２２を配置している。
【００８８】
上述の電線２４，２４をプラグ本体２１の電線配線部２７に配線する場合、図２に示すように、コード２６の外装部２６ｂ先端より露出した電線２４を、電線配線部２７に設定した左右の配線経路Ｃ２に沿って対称に配線する。
【００８９】
つまり、電線２４を、配線経路Ｃ２と直交する幅方向Ｂに向けてＵ字状に変形するとともに、該電線２４をＵ字状に変形してなる変形部２４ｃ，２４ｄ，２４ｅを、配線経路Ｃ２上に配列した電線保持部２７ａ，２７ｂ，２７ｃに対して巻き付けるように引っ掛けて、図２［ｂ］に示すようにＳ字状に蛇行した状態に配線する。
【００９０】
すなわち、前記実施形態と同様に、前述の張り荷重がプラグ２０のコード２６に付加されることによって、電線配線部２７の電線保持部２７ａ〜２７ｃに引っ掛けられた電線２４の変形部２４ｃ〜２４ｅが真っ直ぐな状態に引き伸ばされようとする。
【００９１】
ところが、電線保持部２７ａ〜２７ｃによって電線２４の変形部２４ｃ〜２４ｅを変形した状態に保持又は矯正しているので、引張り荷重が付加されるほど、電線２４の変形部２４ｃ〜２４ｅが電線保持部２７ａ〜２７ｃに対して押し付けられる（図２［ｂ］参照）。
【００９２】
これにより、電線２４に付加される引張り荷重を、該電線２４の変形部２４ｃ〜２４ｅが押し付けられた電線保持部２７ａ〜２７ｃにて受けることができるとともに、引張り荷重の一部を周方向に分散させることができる。
【００９３】
この結果、引張り荷重が電線保持部２７ａ〜２７ｃに分散して付加され、かつ、周方向にも分散されるので、１つの電線保持部２７ａ〜２７ｃにて受ける引張り荷重が小さくなり、引張り荷重に対する構造的強度及び耐久性が向上する。
【００９４】
また、引張り荷重が端子２２と電線２４との接続部分に直接付加されることを防止できるので、前記実施形態と略同等の作用及び効果を奏することができる。  
さらにまた、プラグ本体２１からコード２６が引き抜かれることを防止する抜止め効果、コード２６に断線が起きることを防止する断線防止効果も得られる。
【００９５】
次に、その他の配線例におけるＬ型を有するプラグ３０の電線配線構造について説明する。  
図３［ａ］はアース用の端子を備えたプラグ３０の電線配線構造を示す縦断側面図、図３［ｂ］は電線３４，３５の配線状態を示すＣ−Ｃ線矢視断面図である。
【００９６】
上述のプラグ３０は、端子３２，３３と電線３４，３５とを略直角に接続したＬ型プラグであって、絶縁性を有するプラスチックにて成形したプラグ本体３１と、プラグ本体３１の前端側に突設した２本のピン型端子３２，３２及びアース用のピン型端子３３と、端子３２，３２に接続した電線３４，３４及び端子３３に接続した電線３５を１つに束ねて、プラグ本体３１の後端側に連設したコード３６とで構成している。
【００９７】
プラグ本体３１は、端子３２，３２及び端子３３の基部を、熱硬化性プラスチックで形成した中子型のインサート部材３１ａに組付けた後、図示の各要素を熱可塑性プラスチックで形成したカバー型のプラグボディ３１ｂで被覆して一体化することにより、側面から見てストレート型に構成している。
【００９８】
プラグボディ３１ｂは、上述の熱可塑性プラスチックを、図示しない射出成形装置によりインサート部材３１ａの前端面を除く外面と、コード３６の先端側外周面とに被覆して形成している。
【００９９】
なお、熱可塑性プラスチックは、射出成形時において、プラグ本体３１の内部にも充填されるので、端子３２，３３がインサート部材３１ａの前端面より前方に突設した状態に固定され、電線３４，３５が所定の配線状態に固定される。
【０１００】
端子３２，３２は、コンセントの端子挿入口に対して差し込みが許容される間隔を隔てて平行に突設している。また、端子３３は、コンセントのアース挿入口に対して差し込まれる位置に突設している。
【０１０１】
電線３４，３５は、芯線３４ａ，３５ａ外周に被覆した先端側の絶縁材３４ｂ，３５ｂを剥離除去して、絶縁材３４ｂ，３５ｂ先端より露出した芯線３４ａ，３５ａを、端子３２，３３の基部に圧着接続している。
【０１０２】
コード３６は、電線３４，３４，３５を１つに束ねて被覆した外装部３６ｂの先端側を剥離除去して、電線３４，３４，３５を外装部３６ｂ先端より所定長さ露出している。また、外装部３６ｂの先端側を、後述する電線配線部３７と連通してプラグ本体３１の後端側に連設している。
【０１０３】
外装部３６ｂ先端より露出した電線３４，３４は、プラグ本体３１の内部に形成した電線配線部３７に配線するとともに、該電線配線部３７の幅方向Ｂ中央部に設定した中心部Ｐ２を中心として、周方向に設定した左右の配線経路Ｃ３に沿って配線している。  
なお、電線３５は、電線３４よりも弛みを持たせて電線配線部３７の中央部に配線している。
【０１０４】
配線経路Ｃ３上には、中心部Ｐ２を中心として、電線３４を配線経路Ｃ３と直交する幅方向Ｂに向けてＵ字状に変形した状態に保持又は矯正する電線保持部３７ａ，３７ｂ，３７ｃを同心円に配置している。  
電線保持部３７ａ〜３７ｃは、電線３４の配線が許容される間隔を隔てて配線経路Ｃ３に沿って周方向に配列するとともに、配線経路Ｃ３に対して互い違いとなるように千鳥状に配列している。
【０１０５】
電線保持部３７ａは、コード２６の外装部３６ｂの先端側外周部を長手方向Ａに延長してなる仮想延長線よりも外側で、配線経路Ｃ３の外側寄りに偏心して配置している。また、電線保持部３７ｂ，３７ｃは、上述の仮想延長線よりも外側で配線経路Ｃ３の内側寄りに偏心して配置している。  
なお、電線保持部３７ｂ，３７ｃの間には、電線３４が接続された端子３２を配置している。
【０１０６】
上述の電線３４，３４をプラグ本体３１の電線配線部３７に配線する場合、図３に示すように、コード３６の外装部３６ｂ先端より露出した電線３４，３４を、プラグ本体３１の電線配線部３７に設定した左右の配線経路Ｃ３に沿って対称に配線する。
【０１０７】
つまり、電線３４を、配線経路Ｃ３と直交する幅方向Ｂに向けてＵ字状に変形するとともに、該電線３４をＵ字状に変形してなる変形部３４ｃ，３４ｄ，３４ｅを、配線経路Ｃ３上に配列した電線保持部３７ａ，３７ｂ，３７ｃに対して巻き付けるように引っ掛けて、図３［ｂ］に示すようにＳ字状に蛇行した状態に配線する。
【０１０８】
すなわち、前記実施形態と同様に、前述の引張り荷重がプラグ３０のコード３６に付加されることによって、電線配線部３７の電線保持部３７ａ〜３７ｃに引っ掛けられた電線３４の変形部３４ｃ〜３４ｅが真っ直ぐな状態に引き伸ばされようとする。
【０１０９】
ところが、電線保持部３７ａ〜３７ｃによって電線３４の変形部３４ｃ〜３４ｅを変形した状態に保持又は矯正しているので、引張り荷重が付加されるほど、電線３４の変形部３４ｃ〜３４ｅが電線保持部３７ａ〜３７ｃに対して押し付けられる（図３［ｂ］参照）。
【０１１０】
これにより、電線３４に付加される引張り荷重を、該電線３４の変形部３４ｃ〜３４ｅが押し付けられた電線保持部３７ａ〜３７ｃにて受けることができる。  
この結果、引張り荷重が電線保持部３７ａ〜３７ｃに分散して付加され、かつ、周方向にも分散されるので、１つの電線保持部３７ａ〜３７ｃにて受ける引張り荷重が小さくなり、引張り荷重に対する構造的強度及び耐久性が向上する。
【０１１１】
また、引張り荷重が端子３２と電線３４との接続部分に直接付加されることを防止できるので、前記実施形態と略同等の作用及び効果を奏することができる。  
さらにまた、プラグ本体３１からコード３６が引き抜かれることを防止する抜止め効果、コード３６に断線が起きることを防止する断線防止効果も得られる。
【０１１２】
次に、その他の配線例におけるストレート型を有するプラグ４０の電線配線構造について説明する。  
図４［ａ］はアース用の端子を備えたプラグ４０の電線配線構造を示す縦断側面図、図４［ｂ］は電線４４，４５の配線状態を示すＤ−Ｄ線矢視断面図である。
【０１１３】
上述のプラグ４０は、端子４２，４３と電線４４，４５とを略直線に接続したストレート型プラグであって、絶縁性を有するプラスチックにて成形した円筒状のプラグ本体４１と、プラグ本体４１の前端側に突設した２本の平型端子４２，４２及びアース用のピン型端子４３と、端子４２，４２に接続した電線４４，４４及び端子４３に接続した電線４５を１つに束ねて、プラグ本体４１の後端側に連設したコード４６とで構成している。
【０１１４】
プラグ本体４１は、端子４２，４２及び端子４３の基部を、熱硬化性プラスチックで形成した中子型のインサート部材４１ａに組付けた後、熱硬化性プラスチックで形成した半割り形状のインサート部材４１ｂ，４１ｂを、インサート部材４１ａを挟み込むようにして該インサート部材４１ａの両側外周面に嵌着する。
【０１１５】
インサート部材４１ｂ，４１ｂの両側対向縁部を互いに係合して一体的に組付けた後、部材４１ａ，４１ｂ，４１ｂを熱可塑性プラスチックで形成したカバー型のプラグボディ４１ｃで被覆して一体化することにより、側面から見てストレート型に構成している。
【０１１６】
プラグボディ４１ｃは、上述の熱可塑性プラスチックを、図示しない射出成形装置によりインサート部材４１ａの前端面を除く、インサート部材４１ａ，４１ｂ，４１ｂの外面及びコード４６の先端側外周面に被覆して形成している。
【０１１７】
なお、熱可塑性プラスチックは、射出成形時において、プラグ本体４１の内部にも充填するので、端子４２，４３がインサート部材４１ａの前端側に突設した状態に固定され、電線４４，４５が所定の配線状態に固定される。
【０１１８】
端子４２，４２は、コンセントの端子挿入口に対して差し込みが許容される間隔を隔てて平行に突設している。また、端子４３は、コンセントのアース挿入口に対して差し込みが許容される位置に突設している。
【０１１９】
電線４４，４５は、芯線４４ａ，４５ａ外周に被覆した先端側の絶縁材４４ｂ，４５ｂを剥離除去して、絶縁材４４ｂ，４５ｂ先端より露出した芯線４４ａ，４５ａを、端子４２，４３の基部に圧着接続している。
【０１２０】
コード４６は、電線４４，４４，４５を１つに束ねて被覆した外装部４６ｂの先端側を剥離除去して、電線４４，４４，４５を外装部４６ｂ先端より所定長さ露出している。また、外装部４６ｂの先端側を、後述する電線配線部４７と連通してプラグ本体４１の後端側に連設している。
【０１２１】
外装部４６ｂ先端より露出した電線４４，４４は、プラグ本体４１の内部に形成した電線配線部４７に配線するとともに、該電線配線部４７の幅方向Ｂ中央部を通る位置に設定した中心線Ｐ１を基準として、該中心線Ｐ１の両側に設定したプラグ本体４１の長手方向Ａと平行する左右の配線経路Ｃ４に沿って配線している。  
なお、電線４５は、電線４４よりも弛みを持たせて電線配線部４７の中央部に配線している。
【０１２２】
配線経路Ｃ４上には、電線４４を配線経路Ｃ４と直交する幅方向Ｂに向けてＵ字状に変形した状態に保持又は矯正する電線保持部４７ａ，４７ｂ，４７ｃを配置している。  
電線保持部４７ａ〜４７ｃは、電線４４の配線が許容される間隔を隔てて配線経路Ｃ４に沿って長手方向Ａに配列するとともに、幅方向Ｂに位置をずらして配線経路Ｃ４に対して互い違いとなるように千鳥状に配列している。
【０１２３】
電線保持部４７ａ，４７ｃは、コード４６の外装部４６ｂの先端側中心部よりも外側で、該先端側外周部を長手方向Ａに延長してなる仮想延長線よりも内側に配置している。また、電線保持部４７ｂは、上述の仮想延長線上に配置するとともに、配線経路Ｃ４と直交して電線配線部４７の両側内壁部に突設している。  
なお、電線保持部４７ｂ，４７ｃの間には、電線４４が接続された端子４２を配置している。
【０１２４】
上述の電線４４，４４をプラグ本体４１の電線配線部４７に配線する場合、図４に示すように、コード４６の外装部４６ｂ先端より露出した電線４４を、プラグ本体４１の電線配線部４７に設定した配線経路Ｃ４，Ｃ４に沿って左右対称に配線する。
【０１２５】
つまり、電線４４を、配線経路Ｃ４と直交する幅方向Ｂに向けてＵ字状に変形するとともに、該電線４４をＵ字状に変形してなる変形部４４ｃ，４４ｄ，４４ｅを、配線経路Ｃ４上に配列した電線保持部４７ａ，４７ｂ，４７ｃに引っ掛けて、図４［ｂ］に示すようにＳ字状に蛇行した状態に配線する。
【０１２６】
すなわち、前記実施形態と同様に、前述の引張り荷重がプラグ４０のコード４６に付加されることによって、電線配線部４７の電線保持部４７ａ〜４７ｃに引っ掛けられた電線４４の変形部４４ｃ〜４４ｅが真っ直ぐな状態に引き伸ばされようとする。
【０１２７】
ところが、電線保持部４７ａ〜４７ｃによって電線４４の変形部４４ｃ〜４４ｅを変形した状態に保持又は矯正しているので、引張り荷重が付加されるほど、電線４４の変形部４４ｃ〜４４ｅが電線保持部４７ａ〜４７ｃに対して押し付けられる（図４［ｂ］参照）。
【０１２８】
これにより、電線４４に付加される引張り荷重を、該電線４４の変形部４４ｃ〜４４ｅが押し付けられた電線保持部４７ａ〜４７ｃにて受けることができるとともに、引張り荷重を幅方向Ｂに分散させることができる。
【０１２９】
この結果、電線４４に付加される引張り荷重が内側寄りの電線保持部４７ａ，４７ｃと外側寄りの電線保持部４７ｂとに分散して付加され、かつ、幅方向Ｂにも分散されるので、１つの電線保持部４７ａ〜４７ｃにて受ける引張り荷重が小さくなり、大きな引張り荷重にも耐え得る構造的強度を確保と、耐久性の向上とを図ることができる。
【０１３０】
また、引張り荷重が端子４２と電線４４との接続部分に直接付加されることを防止できるので、前記実施形態と略同等の作用及び効果を奏することができる。  
さらにまた、プラグ本体４１からコード４６が引き抜かれることを防止する抜止め効果、コード４６に断線が起きることを防止する断線防止効果も得られる。
【０１３１】
次に、図５を用いて、電線１４の他の配線例について説明する。図５［ａ］［ｂ］は電線１４の他の配線例を示すプラグ１０の配線説明図である。  
上述の電線１４を配線する場合、コード１６の電線１４をＵ字状に変形してなる変形部１４ｄは、中心線Ｐ１寄りに配置した内側の電線保持部１７ｂに引っ掛ける。また、変形部１４ｄの前後に形成した変形部１４ｃ，１４ｅは、電線保持部１７ｂよりも外側寄りに配置した電線保持部１７ａ，１７ｃに引っ掛ける（図５［ａ］参照）。
【０１３２】
あるいは、コード１６の電線１４をＵ字状に変形してなる変形部１４ｃを、コード１６の外径よりも幅広に形成され、電線配線部１７の中央部で中心線Ｐ１上に配置した電線保持部１７ａの側縁部に引っ掛ける。また、電線１４の変形部１４ｄは、電線保持部１７ｂに引っ掛ける（図５［ｂ］参照）。
【０１３３】
すなわち、前述の引張り荷重がプラグ１０のコード１６に付加されることによって、電線１４の変形部１４ｃ〜１４ｅが電線保持部１７ａ〜１７ｃに対して押し付けられる。  
これにより、電線１４に付加される引張り荷重を、該電線１４の変形部１４ｃ〜１４ｅが押し付けられた電線保持部１７ａ〜１７ｃにて受けることができる。
【０１３４】
この結果、上述のように電線１４を配線することにより、前述の張り荷重が端子１２と電線１４との接続部分に直接付加されることを防止でき、前記実施形態と略同等の作用及び効果を奏することができる。  
なお、電線１５は、電線保持部１７ａに形成した図示しない孔部に挿通して中央に配線している。
【０１３５】
次に、図６を用いて、電線２４，４４のその他の配線例について説明する。図６［ａ］は電線２４のその他の配線例を示すプラグ２０の配線説明図、図６［ｂ］は電線４４のその他の配線例を示すプラグ４０の配線説明図である。
【０１３６】
上述の電線２４を配線する場合、コード２６の電線２４をＵ字状に変形してなる変形部２４ｄ，２４ｅは、平面から見て弧状に形成した曲率半径が大きい電線保持部２７ｂの前後縁部に対して巻き付けるように引っ掛ける。また、電線２４の変形部２４ｃは、電線保持部２７ａに引っ掛ける（図６［ａ］参照）。
【０１３７】
すなわち、前述の引張り荷重がプラグ２０のコード２６に付加されることによって、電線２４の変形部２４ｄ，２４ｅが電線保持部２７ａ，２７ｂに対して押し付けられる。  
これにより、電線２４に付加される引張り荷重を、該電線２４の変形部２４ｄ，２４ｅが押し付けられた電線保持部２７ａ，２７ｂにて受けることができる。また、電線保持部２７ｂの曲率半径が大きいので、電線２４に付加される応力を軽減することができ、断線が発生することを防止できる。
【０１３８】
次に、電線４４を配線する場合、コード４６の電線４４をＵ字状に変形してなる変形部４４ｄは、コード４６の外径と略同一幅又は幅広に形成した電線保持部４７ｂの側縁部に引っ掛ける。また、変形部４４ｄの前後に形成した変形部４４ｃ，４４ｅは、電線保持部４７ｂの前後に配置した電線保持部４７ａ，４７ｃに引っ掛ける（図６［ｂ］参照）。
【０１３９】
すなわち、前述の引張り荷重がプラグ４０のコード４６に付加されることによって、電線４４の変形部４４ｃ〜４４ｅが電線保持部４７ａ〜４７ｃに対して押し付けられる。  
これにより、電線４４に付加される引張り荷重を、該電線４４の変形部４４ｃ〜４４ｅが押し付けられた電線保持部４７ａ〜４７ｃにて受けることができる。
【０１４０】
この結果、上述のように電線２４，４４を配線することにより、前述の張り荷重が端子２２と電線２４との接続部分及び端子４２と電線４４との接続部分に直接付加されることを防止でき、前記実施形態と略同等の作用及び効果を奏することができる。  
なお、電線４５は、電線保持部４７ｂに形成した図示しない孔部に挿通して中央に配線している。
【０１４１】
次に、図７を用いて、電線１４のその他の配線例について説明する。図７は電線１４のその他の配線例を示すプラグ１０の配線説明図である。
【０１４２】
上述の電線１４を配線する場合、コード１６の電線１４をＵ字状に変形してなる変形部１４ｃ，１４ｅは、プラグ本体１１の長手方向Ａと平行して形成した断面横長形状を有する１つの電線保持部１７ａの前後縁部に対して巻き付けるように引っ掛けて、図７に示すように電線配線部１７の内壁面に沿った状態に配線する。
【０１４３】
すなわち、前述の引張り荷重がプラグ１０のコード１６に付加されることによって、電線１４の変形部１４ｃ，１４ｅが電線保持部１７ａに対して押し付けられる。また、変形部１４ｃ，１４ｅと対応する電線１４の周面は、電線配線部１７の内壁面に対して押し付けられ、Ｕ字状に変形した状態に保持又は矯正されている。
【０１４４】
これにより、電線１４に付加される引張り荷重を、該電線１４の変形部１４ｃ，１４ｅが押し付けられた電線保持部１７ａの前後縁部と電線配線部１７の内壁面にて受けることができる。
【０１４５】
この結果、上述のように電線１４を配線することにより、前述の張り荷重が端子１２と電線１４との接続部分に直接付加されることを防止でき、前記実施形態と略同等の作用及び効果を奏することができる。  
なお、上述の他の配線例及びその他の配線例において、前述の実施形態と同一構成の部分は同一の符号を記してその詳細な説明を省略する。
【０１４６】
この発明の構成と、前記実施形態との対応において、  
この発明の電線配線部は、実施形態の電線配線部１７，２７，３７，４７に対応し、  
以下同様に、  
電線保持部は、電線保持部１７ａ〜１７ｃ、２７ａ〜２７ｃ、３７ａ〜３７ｃ、４７ａ〜４７ｃに対応するも、  
この発明は、上述の実施形態の構成のみに限定されるものではなく、請求項に示される技術思想に基づいて応用することができ、多くの実施の形態を得ることができる。
【０１４７】
本発明のプラグの電線配線構造は、実施形態で説明したアース用の端子を突設したプラグのみに用途が限定されるものではなく、例えば２本の端子を突設した一般的なプラグにも適用することができる。
【０１４８】
また、実施形態では、電線１４，２４，３４，４４を幅方向Ｂに変形してＳ字状に蛇行した状態に配線した構造を説明しているが、例えば電線１４，２４，３４，４４を縦方向に変形してＳ字状に蛇行した状態に配線するように構成してもよい。
【０１４９】
なお、上述のプラグ１０，２０，３０，４０における電線配線構造は、該プラグ１０〜４０の構造のみに限定されるものではなく、他のプラグの電線配線構造としても適用することができる。
【符号の説明】
【０１５０】
Ａ…長手方向
Ｂ…幅方向
Ｐ１…中心線
Ｐ２…中心部
Ｃ１〜Ｃ４…配線経路
１０，２０，３０，４０…プラグ
１１，２１，３１，４１…プラグ本体
１２，１３，２２，２３，３２，３３，４２，４３…端子
１４，１５，２４，２５，３４，３５，４４，４５…電線
１４ｃ〜１４ｅ，２４ｃ〜２４ｅ，３４ｃ〜３４ｅ，４４ｃ〜４４ｅ…変形部
１６，２６，３６，４６…コード
１７，２７，３７，４７…電線配線部
１７ａ〜１７ｃ，２７ａ〜２７ｃ，３７ａ〜３７ｃ，４７ａ〜４７ｃ…電線保持部
１８…サーミスタ
１８ａ…信号線
１９…電流遮断装置
【手続補正２】
【補正対象書類名】特許請求の範囲
【補正対象項目名】全文
【補正方法】変更
【補正の内容】
【特許請求の範囲】
【請求項１】
電源に差し込まれる複数の端子をプラグ本体の前端側に突設し、該端子に接続された電線をプラグ本体の後端側に連設したプラグの電線配線構造であって、
前記プラグ本体の内部に、前記端子に接続された電線を配線する電線配線部を設け、
前記電線配線部に設定した前記電線を配線する配線経路上に、該配線経路と直交する方向に向けて前記電線を変形した状態に保持する電線保持部を設け、
前記配線経路を、
前記電線配線部の中心部を中心として周方向に設定し、
前記電線保持部を、
前記周方向に設定した前記配線経路に沿って前記電線の配線が許容される間隔を隔てて複数配列した
プラグの電線配線構造。
【請求項２】
電源に差し込まれる複数の端子をプラグ本体の前端側に突設し、該端子に接続された電線をプラグ本体の後端側に連設したプラグの電線配線構造であって、
前記プラグ本体の内部に、前記端子に接続された電線を配線する電線配線部を設け、
前記電線配線部に設定した前記電線を配線する配線経路上に、該配線経路と直交する方向に向けて前記電線を変形した状態に保持する電線保持部を設け、
前記配線経路を、
前記電線配線部の幅方向中央部を通る位置に設定した中心線を基準として、該中心線の両側に前記プラグ本体の長手方向と平行して設定し、
前記電線保持部を、
前記中心線の両側に設定した各配線経路に沿って前記電線の配線が許容される間隔を隔てて複数配列した
プラグの電線配線構造。
【請求項３】
電源に差し込まれる複数の端子をプラグ本体の前端側に突設し、該端子に接続された電線をプラグ本体の後端側に連設したプラグの電線配線構造であって、
前記プラグ本体の内部に、前記端子に接続された電線を配線する電線配線部を設け、
前記電線配線部に設定した前記電線を配線する配線経路上に、該配線経路と直交する方向に向けて前記電線を変形した状態に保持する電線保持部を設け、
前記電線保持部を、
前記配線経路の外側寄りに偏心した位置と、該配線経路の内側寄りに偏心した位置とに配置して、該配線経路に沿って互い違いとなるように、前記電線の配線が許容される間隔を隔てて複数配列した
プラグの電線配線構造。
【国際調査報告】
2013069107.tif 000010
2013069107.tif 000011